(57)【要約】  無線アクセスネットワーク（ＲＡＮ）ノード３を備える通信システム１におけるチャネル状態情報（ＣＳＩ）フィードバックのための無線デバイス６により実施される方法が、フィードバックのために、ＣＳＩ参照信号（ＲＳ）リソース、第１のＣＳＩタイプ、および第２のＣＳＩタイプについての情報を、ＲＡＮノードから受け取ることを含む。方法は、第１のＣＳＩタイプまたは第２のＣＳＩタイプのＣＳＩ測定およびフィードバックに対するＣＳＩフィードバック要求を、ＲＡＮノードから受け取ることも含む。方法は、ＣＳＩ−ＲＳリソース上で受け取った信号に基づいて示されたタイプのＣＳＩを測定することも含む。方法は、要求されたＣＳＩタイプのＣＳＩリポートをＲＡＮノードに送ることも含む。ＲＡＮノードにおける対応する方法は、本明細書にさらに提示される。【選択図】図１２
2019520732.tif 000002
【特許請求の範囲】
【請求項１】
無線アクセスネットワーク（ＲＡＮ）ノード（３）を備える通信システム（１）におけるチャネル状態情報（ＣＳＩ）フィードバックのための無線デバイス（６）により実施される方法であって、
フィードバックのために、チャネル状態情報参照信号（ＣＳＩ−ＲＳ）リソース、第１のＣＳＩタイプ、および第２のＣＳＩタイプについての情報を、前記ＲＡＮノード（３）から受け取ること（Ｓ１１）と、
前記第１のＣＳＩタイプまたは前記第２のＣＳＩタイプのＣＳＩ測定およびフィードバックに対するＣＳＩフィードバック要求を、前記ＲＡＮノード（３）から受け取ること（Ｓ１２）と、
前記ＣＳＩ−ＲＳリソースにおいて受け取った信号に基づいて示されたタイプのＣＳＩを測定すること（Ｓ１３）と、
要求されたＣＳＩタイプのＣＳＩリポートを、前記ＲＡＮノード（３）に送ること（Ｓ１４）と
を含む、方法。
【請求項２】
前記ＣＳＩフィードバック要求が動的に受け取られる（Ｓ１２）、請求項１に記載の方法。
【請求項３】
前記情報が、前記ＲＡＮノードで使用される送信アンテナポートレイアウトについての情報も含む、請求項１または２に記載の方法。
【請求項４】
前記情報が前記第１のＣＳＩタイプについての第１のコードブックおよび前記第２のＣＳＩタイプについての第２のコードブックについての情報も含む、請求項３に記載の方法。
【請求項５】
前記第１のコードブックと前記第２のコードブックが両方とも同じアンテナポートレイアウトに関連付けられる、請求項４に記載の方法。
【請求項６】
前記第１のコードブックと前記第２のコードブックが異なる、請求項４に記載の方法。
【請求項７】
前記ＣＳＩ−ＲＳリソースが非ゼロ電力（ＮＺＰ）ＣＳＩ−ＲＳリソースである、請求項１から６のいずれか一項に記載の方法。
【請求項８】
前記情報が、干渉が測定されるべきゼロ電力（ＺＰ）ＣＳＩ−ＲＳリソースについての情報をさらに含む、請求項１から７のいずれか一項に記載の方法。
【請求項９】
前記情報が、無線リソース制御（ＲＲＣ）を介してなど、半静的に受け取られる、請求項１から８のいずれか一項に記載の方法。
【請求項１０】
前記第２のＣＳＩタイプが前記第１のＣＳＩタイプより高いチャネル解像度を有する、請求項１から９のいずれか一項に記載の方法。
【請求項１１】
前記第１のＣＳＩタイプが前記第１のコードブックに基づく、請求項１から１０のいずれか一項に記載の方法。
【請求項１２】
前記第１のコードブックが、ロングタームエボリューション（ＬＴＥ）クラスＡコードブックである、請求項１１に記載の方法。
【請求項１３】
前記第２のＣＳＩタイプが前記第２のコードブックに基づく、請求項１から１２のいずれか一項に記載の方法。
【請求項１４】
前記第２のコードブックが、第１のコードブックに対しての拡張コードブックである、請求項１３に記載の方法。
【請求項１５】
前記第２のコードブックが、前記第１のコードブックよりも豊富なチャネル状態情報を提供する、請求項１から１４のいずれか一項に記載の方法。
【請求項１６】
前記第２のＣＳＩタイプが、推定されるチャネルの明示的な量子化に基づく拡張ＣＳＩである、請求項１から１２のいずれか一項に記載の方法。
【請求項１７】
前記第１のＣＳＩタイプと第２のＣＳＩタイプが、同じＣＳＩプロセスで設定される、請求項１から１６のいずれか一項に記載の方法。
【請求項１８】
前記第１のＣＳＩタイプと第２のＣＳＩタイプが、２つの異なるＣＳＩプロセスで設定される、請求項１から１６のいずれか一項に記載の方法。
【請求項１９】
２つの前記ＣＳＩプロセスが同じＣＳＩ−ＲＳリソース設定を有する、請求項１８に記載の方法。
【請求項２０】
前記ＣＳＩ−ＲＳが、前記ＣＳＩフィードバック要求と同じサブフレームで送信される、請求項１から１９のいずれか一項に記載の方法。
【請求項２１】
前記ＣＳＩフィードバック要求が、サブフレーム中の前記ＣＳＩ−ＲＳの存在を示すＣＳＩ測定要求およびＣＳＩリポート要求を含む、請求項１から２０のいずれか一項に記載の方法。
【請求項２２】
前記ＣＳＩ測定要求が前記ＣＳＩリポート要求の前に送信される、請求項２１に記載の方法。
【請求項２３】
前記ＣＳＩフィードバック要求がＣＳＩタイプインジケータを含む、請求項１から２２のいずれか一項に記載の方法。
【請求項２４】
前記ＣＳＩフィードバック要求がＣＳＩタイプインジケータと前記ＣＳＩ−ＲＳリソースについての情報の両方を含む、請求項１から２３のいずれか一項に記載の方法。
【請求項２５】
通信システム（１）において無線デバイス（６）にデータを送信するため、および前記無線デバイス（６）からチャネル状態情報（ＣＳＩ）フィードバックを受け取るために複数の送信アンテナポート（５）を装備する無線アクセスネットワーク（ＲＡＮ）ノード（３）によって実施される方法であって、
フィードバックのために、ＣＳＩ参照信号（ＣＳＩ−ＲＳ）リソース、第１のＣＳＩタイプおよび第２のＣＳＩタイプについての情報を前記無線デバイス（６）に送ること（Ｓ１）と、
前記第１のＣＳＩタイプまたは前記第２のＣＳＩタイプのＣＳＩ測定およびフィードバックに対するＣＳＩフィードバック要求を、前記無線デバイス（６）に送ること（Ｓ２）と、
前記ＣＳＩ−ＲＳリソースにおいて少なくとも１つのＣＳＩ−ＲＳ信号を送信することと、
要求したＣＳＩタイプのＣＳＩリポートを前記無線デバイス（６）から受け取ること（Ｓ３）と
を含む、方法。
【請求項２６】
少なくとも１つのＣＳＩ−ＲＳ信号を前記送信することが、前記ＣＳＩ−ＲＳリソースで前記送信アンテナポートの各々において１つのＣＳＩ−ＲＳ信号を送信することを含む、請求項２５に記載の方法。
【請求項２７】
前記ＣＳＩフィードバック要求が動的に送られる（Ｓ２）、請求項２５または２６に記載の方法。
【請求項２８】
前記情報が、前記ＲＡＮノードで使用される送信アンテナポートレイアウトについての情報も含む、請求項２５から２７のいずれか一項に記載の方法。
【請求項２９】
前記情報が、前記第１のＣＳＩタイプに関連付けられる第１のコードブックおよび前記第２のＣＳＩタイプに関連付けられる第２のコードブックについての情報も含む、請求項２８に記載の方法。
【請求項３０】
前記第１のコードブックと前記第２のコードブックが同じアンテナポートレイアウトについてである、請求項２９に記載の方法。
【請求項３１】
前記第１のコードブックと前記第２のコードブックが異なる、請求項２９に記載の方法。
【請求項３２】
前記ＣＳＩ−ＲＳリソースが非ゼロ電力（ＮＺＰ）ＣＳＩ−ＲＳリソースである、請求項２８から３１のいずれか一項に記載の方法。
【請求項３３】
前記情報が、干渉が測定されるべきゼロ電力（ＺＰ）ＣＳＩ−ＲＳリソースについての情報も含む、請求項２５から３２のいずれか一項に記載の方法。
【請求項３４】
シグナリングが、無線リソース制御（ＲＲＣ）を介してなど、半静的に送信される、請求項２５から３３のいずれか一項に記載の方法。
【請求項３５】
前記第２のＣＳＩタイプが、前記第１のＣＳＩタイプより高いチャネル解像度を有する、請求項２５から３４のいずれか一項に記載の方法。
【請求項３６】
前記第１のＣＳＩタイプが前記第１のコードブックに基づく、請求項２５から３５のいずれか一項に記載の方法。
【請求項３７】
前記第１のコードブックが、ロングタームエボリューション（ＬＴＥ）クラスＡコードブックである、請求項２５から３６のいずれか一項に記載の方法。
【請求項３８】
前記第２のＣＳＩタイプが前記第２のコードブックに基づく、請求項２５から３７のいずれか一項に記載の方法。
【請求項３９】
前記第２のコードブックが拡張コードブックである、請求項２５から３８のいずれか一項に記載の方法。
【請求項４０】
前記第２のＣＳＩタイプが、推定されるチャネルの明示的な量子化に基づく拡張ＣＳＩである、請求項２５から３７のいずれか一項に記載の方法。
【請求項４１】
前記第１のＣＳＩタイプと第２のＣＳＩタイプが、同じＣＳＩプロセスで設定される、請求項２５から４０のいずれか一項に記載の方法。
【請求項４２】
前記第１のＣＳＩタイプと第２のＣＳＩタイプが、２つの異なるＣＳＩプロセスで設定される、請求項２５から４０のいずれか一項に記載の方法。
【請求項４３】
２つの前記ＣＳＩプロセスが同じＣＳＩ−ＲＳリソースを有する、請求項４２に記載の方法。
【請求項４４】
前記ＣＳＩフィードバック要求が、前記ＣＳＩ−ＲＳと同じサブフレームで送信される、請求項２５から４３のいずれか一項に記載の方法。
【請求項４５】
前記ＣＳＩフィードバック要求が、サブフレーム中の前記ＣＳＩ−ＲＳの存在を示すＣＳＩ測定要求およびＣＳＩリポート要求を備える、請求項２５から４４のいずれか一項に記載の方法。
【請求項４６】
前記ＣＳＩ測定要求が、前記ＣＳＩリポート要求の前に送信される、請求項４５に記載の方法。
【請求項４７】
前記ＣＳＩフィードバック要求が、ＣＳＩタイプインジケータを含む、請求項２５から４６のいずれか一項に記載の方法。
【請求項４８】
前記ＣＳＩフィードバック要求が、ＣＳＩタイプインジケータと前記ＣＳＩ−ＲＳリソースについての情報の両方を含む、請求項２５から４７のいずれか一項に記載の方法。
【請求項４９】
前記無線デバイス（６）がマルチユーザ多入力多出力（ＭＵ−ＭＩＭＯ）送信の候補であると前記ＲＡＮノード（３）が決定したときにだけ、前記第２のＣＳＩタイプについての前記ＣＳＩフィードバック要求が送られる（Ｓ２）、請求項２５から４８のいずれか一項に記載の方法。
【請求項５０】
無線デバイス（６）にデータを送信するために複数の送信アンテナポート（５）を装備する無線アクセスネットワーク（ＲＡＮ）ノード（３）を備える通信システム（１）におけるチャネル状態情報（ＣＳＩ）フィードバックの方法であって、
フィードバックのために、チャネル状態情報参照信号（ＣＳＩ−ＲＳ）リソース、第１のＣＳＩタイプおよび第２のＣＳＩタイプについての情報を、前記ＲＡＮノード（３）によって前記無線デバイス（６）にシグナリングすることと、
前記第１のＣＳＩタイプまたは前記第２のＣＳＩタイプのＣＳＩ測定およびフィードバックに対するＣＳＩフィードバック要求を、前記ＲＡＮノード（３）によって前記無線デバイス（６）に送ることと、
前記ＣＳＩ−ＲＳリソースにおいて少なくとも１つのＣＳＩ−ＲＳ信号を、前記ＲＡＮノード（３）によって前記無線デバイス（６）に送信することと、
前記ＣＳＩ−ＲＳリソースにおいて受け取った信号に基づいて示されたタイプのＣＳＩを、前記無線デバイス（６）によって測定することと、
要求したＣＳＩタイプのＣＳＩリポートを、前記ＲＡＮノード（３）によって前記無線デバイス（６）から受け取ることと
を含む、方法。
【請求項５１】
デバイスに含まれるプロセッサ回路（３１および／または６１）上でコンピュータ実行可能構成要素が実行されるとき、前記デバイス（１および／または３および／または６）に、請求項１から５０のいずれか一項に記載の方法を実施させるためのコンピュータ実行可能構成要素（１５１）を備える、コンピュータプログラム製品（１５０）。
【請求項５２】
無線アクセスネットワーク（ＲＡＮ）ノード（３）を備える通信システム（１）におけるチャネル状態情報（ＣＳＩ）フィードバックのための無線デバイス（６）であって、
プロセッサ回路（６１）と、
前記プロセッサ回路によって実行可能な命令（１５１）を記憶する記憶装置（６２）と
を備え、それによって、
フィードバックのために、チャネル状態情報参照信号（ＣＳＩ−ＲＳ）リソース、第１のＣＳＩタイプ、および第２のＣＳＩタイプについての情報を、前記ＲＡＮノード（３）から受け取り、
前記第１のＣＳＩタイプまたは前記第２のＣＳＩタイプのＣＳＩ測定およびフィードバックに対するＣＳＩフィードバック要求を、前記ＲＡＮノード（３）から受け取り、
前記ＣＳＩ−ＲＳリソースにおいて受け取った信号に基づいて示されたタイプのＣＳＩを測定し、
要求されたＣＳＩタイプのＣＳＩリポートを、前記ＲＡＮノード（３）に送る
ように動作可能である、無線デバイス（６）。
【請求項５３】
無線デバイス（６）にデータを送信するために複数の送信アンテナポート（５）を装備する無線アクセスネットワーク（ＲＡＮ）ノード（３）を備える通信システム（１）におけるチャネル状態情報（ＣＳＩ）フィードバックのためのＲＡＮノード（３）であって、
プロセッサ回路（３１）と、
前記プロセッサ回路によって実行可能な命令（１５１）を記憶する記憶装置（３２）と
を備え、それによって、
フィードバックのために、チャネル状態情報参照信号（ＣＳＩ−ＲＳ）リソース、第１のＣＳＩタイプおよび第２のＣＳＩタイプについての情報を前記無線デバイス（６）に送り、
前記第１のＣＳＩタイプまたは前記第２のＣＳＩタイプのＣＳＩ測定およびフィードバックに対するＣＳＩフィードバック要求を、前記無線デバイス（６）に送り、
前記ＣＳＩ−ＲＳリソースにおいて少なくとも１つのＣＳＩ−ＲＳ信号を送信し、
要求したＣＳＩタイプのＣＳＩリポートを前記無線デバイス（６）から受け取る
ように動作可能である、ＲＡＮノード（３）。
【請求項５４】
プロセッサ回路（３１および６１）と、
前記プロセッサ回路によって実行可能な命令（１５１）を記憶する記憶装置（３２および６２）とを備える、通信システムであって、
フィードバックのために、チャネル状態情報参照信号（ＣＳＩ−ＲＳ）設定、第１のチャネル状態情報（ＣＳＩ）タイプおよび第２のＣＳＩタイプについての情報を、前記通信システムに含まれる無線アクセスネットワーク（ＲＡＮ）ノード（３）によって前記通信システムに含まれる無線デバイス（６）に送り、
前記第１のＣＳＩタイプまたは前記第２のＣＳＩタイプのＣＳＩ測定およびフィードバックに対するＣＳＩフィードバック要求を、前記ＲＡＮノード（３）によって前記無線デバイス（６）に送り、
前記ＣＳＩ−ＲＳリソースにおいて少なくとも１つのＣＳＩ−ＲＳ信号を、前記ＲＡＮノード（３）によって前記無線デバイス（６）に送信し、
前記ＣＳＩ−ＲＳリソースにおいて受け取った信号に基づいて示されたタイプのＣＳＩを、前記無線デバイス（６）によって測定し、
要求したＣＳＩタイプのＣＳＩリポートを、前記ＲＡＮノード（３）によって前記無線デバイス（６）から受け取る
ように動作可能な、通信システム（１）。
【請求項５５】
無線デバイス（６）にデータを送信するために複数の送信アンテナポート（５）を装備する無線アクセスネットワーク（ＲＡＮ）ノード（３）を備える通信システム（１）におけるチャネル状態情報（ＣＳＩ）フィードバックのためのコンピュータプログラム（１５１）であって、前記無線デバイスのプロセッサ回路（６１）上で実行されると、前記無線デバイスに、
フィードバックのために、チャネル状態情報参照信号（ＣＳＩ−ＲＳ）リソース、第１のＣＳＩタイプ、および第２のＣＳＩタイプについての情報を、前記ＲＡＮノード（３）から受け取らせること（Ｓ１１）、
前記第１のＣＳＩタイプまたは前記第２のＣＳＩタイプのＣＳＩ測定およびフィードバックに対するＣＳＩフィードバック要求を、前記ＲＡＮノード（３）から受け取らせること（Ｓ１２）、
前記ＣＳＩ−ＲＳリソースにおいて受け取った信号に基づいて示されたタイプのＣＳＩを測定させること（Ｓ１３）、
要求されたＣＳＩタイプのＣＳＩリポートを、前記ＲＡＮノード（３）に送らせること（Ｓ１４）
が可能なコンピュータプログラムコードを備える、コンピュータプログラム。
【請求項５６】
無線デバイス（６）にデータを送信するために複数の送信アンテナポート（５）を装備する無線アクセスネットワーク（ＲＡＮ）ノード（３）を備える通信システム（１）におけるチャネル状態情報（ＣＳＩ）フィードバックのためのコンピュータプログラム（１５１）であって、前記ＲＡＮノードのプロセッサ回路（３１）上で実行されると、前記ＲＡＮノードに、
フィードバックのために、チャネル状態情報参照信号（ＣＳＩ−ＲＳ）リソース、第１のＣＳＩタイプおよび第２のＣＳＩタイプについての情報を前記無線デバイス（６）に送らせること（Ｓ１）、
前記第１のＣＳＩタイプまたは前記第２のＣＳＩタイプのＣＳＩ測定およびフィードバックに対するＣＳＩフィードバック要求を、前記無線デバイス（６）に送らせること（Ｓ２）、
前記ＣＳＩ−ＲＳリソースにおいて少なくとも１つのＣＳＩ−ＲＳ信号を、前記ＲＡＮノード（３）によって前記無線デバイス（６）に送信させること、
要求したＣＳＩタイプのＣＳＩリポートを前記無線デバイス（６）から受け取らせること（Ｓ３）
が可能なコンピュータプログラムコードを備える、コンピュータプログラム。
【発明の詳細な説明】
【技術分野】
【０００１】
本開示は、通信システムにおけるチャネル状態情報（ＣＳＩ）フィードバックのための方法およびデバイスに関する。
【背景技術】
【０００２】
Ｌｏｎｇ−Ｔｅｒｍ  Ｅｖｏｌｕｔｉｏｎ（ＬＴＥ）の第３世代パートナーシッププロジェクト（３ＧＰＰ）通信規格は、ダウンリンク（ＤＬ）では直交周波数分割多重（ＯＦＤＭ）を、アップリンク（ＵＬ）では離散フーリエ変換（ＤＦＴ）拡散ＯＦＤＭ（ＤＦＴＳ−ＯＦＤＭ）を使用する。したがって、基本のＬＴＥダウンリンク物理リソースは、図１に示されるように、時間−周波数グリッドとして見ることができ、ここで、各リソースエレメント（ＲＥ）は、１つのＯＦＤＭシンボル間隔（サイクリックプレフィックスを含む）の間に１つのＯＦＤＭサブキャリア（サブキャリア間隔Δｆ＝１５ｋＨｚ）に対応する。
【０００３】
次世代モバイルワイヤレス通信システム（５ＧまたはＮｅｗ  Ｒａｄｉｏ（ＮＲ））は、現在、３ＧＰＰで標準化作業中であるが、やはり、ＤＬにおいてＯＦＤＭを、ＵＬにおいてＯＦＤＭとＤＦＴＳ−ＯＦＤＭの両方を使用することになる。サブキャリア間隔Δｆ＝１５ｋＨｚに加えて、ＮＲでは、さらなるサブキャリア間隔オプション、すなわち、Δｆ＝（１５×２α）ｋＨｚ、ここでαは負でない整数、がサポートされることになる。
【０００４】
時間領域では、図２に図示されるように、ＬＴＥダウンリンク送信は、１０ｍｓの無線フレームへと編成され、各無線フレームは、Ｔｓｕｂｆｒａｍｅ＝１ｍｓの長さである、１０個の等しいサイズのサブフレーム（０〜９と番号付けされる）からなる。各サブフレームは、通常のサイクリックプレフィックス設定の７個のＯＦＤＭシンボルを各々が有する２つのスロットへとさらに分割される。同様のフレーム構造を、ＮＲでやはり使用することになり、ＮＲでは、サブフレーム長は、使用されるサブキャリア間隔にかかわらず、１ｍｓに固定される。サブフレーム毎のスロットの数は、設定されるサブキャリア間隔に依存する。（１５×２α）ｋＨｚのサブキャリア間隔についてのスロット継続時間は、スロット毎に１４個のＯＦＤＭシンボルを仮定すると、２−αｍｓによって与えられる。
【０００５】
さらに、ＬＴＥ中のリソース割り当ては、典型的には、リソースブロック（ＲＢ）または物理リソースブロック（ＰＲＢ）に関して記載され、ここで、ＰＲＢは、時間領域における７個のシンボル（０〜６と番号付けされる）のうちの１つのタイムスロット（０．５ｍｓ）および周波数領域における１２個の連続したサブキャリアに対応し、それによって１つのＰＲＢは、７×１２のＲＥよりなる。リソースブロックは、周波数領域において、システム帯域幅の一方の端から０で始まる番号が付けられる。スケジューリングのための最小のリソース単位は、ＰＲＢ対、すなわちサブフレーム中の２つのスロットにわたる２つのＰＲＢである。便宜上、ＰＲＢは、本文の残りの中で、ＰＲＢ対を指すためにも使用される。ＮＲでは、ＰＲＢは、周波数において１２個のサブキャリアも含むが、時間領域において１つまたは複数のスロットにわたることができる。ＮＲにおけるスケジューリングのための最小のリソース単位は、１つのスロットであり、レイテンシの減少およびフレキシビリティーの向上を達成することができる。議論を簡略化するため、スケジューリングが議論されるときにサブフレームが使用される。しかし、ＮＲにおいて、サブフレームはスロットにも適用可能であることを理解されたい。
【０００６】
ダウンリンク送信は、動的にスケジュールされる。すなわち、各サブフレームにおいて、基地局は、現在のダウンリンクサブフレーム中で、どの端末にデータが送信され、どのリソースブロックへデータが送信されるのかについての制御情報を送信する。この制御シグナリングは、典型的には、ＬＴＥ中の各サブフレーム中の、最初の１、２、３、または４個のＯＦＤＭシンボルに送信される。制御として３つのＯＦＤＭシンボルを有するダウンリンクシステムが図３に図示される。ＮＲでは、正確な制御シグナリングはまだ議論中であるが、制御信号は、最初のＯＦＤＭ符号中にやはり送信される可能性が高い。
【０００７】
物理チャネルおよび送信モード
ＬＴＥでは、いくつかの物理ＤＬチャネルがサポートされる。ダウンリンク物理チャネルは、より高いレイヤから出ている情報を搬送するリソースエレメントの組に対応する。以下は、ＬＴＥでサポートされる物理チャネルの一部である。
−  物理ダウンリンク共有チャネル（ＰＤＳＣＨ）
−  物理ダウンリンク制御チャネル（ＰＤＣＣＨ）
−  拡張物理ダウンリンク制御チャネル（ＥＰＤＣＣＨ）
【０００８】
ＰＤＳＣＨは、主に、ユーザトラフィックデータおよびより高いレイヤのメッセージを搬送するために使用される。ＰＤＳＣＨは、図３に示されるように、制御領域の外側のＤＬサブフレーム中で送信される。ＰＤＣＣＨとＥＰＤＣＣＨの両方は、ＰＲＢ割り当て、変調レベルおよび符号化方式（ＭＣＳ）、トランスミッタで使用されるプリコーダなどといった、ダウンリンク制御情報（ＤＣＩ）を搬送するために使用される。ＰＤＣＣＨは、ＤＬサブフレーム中の最初の１から４のＯＦＤＭシンボル、すなわち制御領域に送信され、一方、ＥＰＤＣＣＨは、同じ領域にＰＤＳＣＨとして送信される。ＰＤＣＣＨおよびＰＤＳＣＨは、やはりＮＲでサポートされることになる。
【０００９】
同様に、以下の物理ＵＬチャネルは、ＬＴＥとＮＲの両方でサポートされる。
−  物理アップリンク共有チャネル、ＰＵＳＣＨ
−  物理アップリンク制御チャネル、ＰＵＣＣＨ
【００１０】
ＤＬおよびＵＬデータスケジューリングのために、異なるＤＣＩフォーマットが、ＬＴＥでは規定される。たとえば、ＤＣＩフォーマット０および４がＵＬデータスケジューリングのために使用され、一方ＤＣＩフォーマット１、１Ａ、１Ｂ、１Ｃ、１Ｄ、２、２Ａ、２Ｂ、２Ｃ、２ＤがＤＬデータスケジューリングのために使用される。ＤＬでは、どのＤＣＩフォーマットがデータスケジューリングのために使用されるかは、ＤＬ送信方式および／または送信されるメッセージのタイプに関連する。以下は、ＬＴＥでサポートされる送信方式の一部である。
−  単一アンテナポート
−  送信ダイバーシティ（ＴｘＤ）
−  開ループ空間多重
−  閉ループ空間多重
−  最大８レイヤの送信
【００１１】
ＰＤＣＣＨは、単一アンテナポートまたは送信ダイバーシティ方式のいずれかで常に送信される一方で、ＰＤＳＣＨは、送信方式の任意の１つを使用することができる。ＬＴＥでは、ＵＥは、送信方式ではなく、送信モード（ＴＭ）で設定される。これまでＬＴＥにおけるＰＤＳＣＨのために規定された、１０個のＴＭ、すなわちＴＭ１〜ＴＭ１０が存在する。各ＴＭは、プライマリー送信方式およびバックアップ送信方式を規定する。バックアップ送信方式は、単一アンテナポートまたはＴｘＤのいずれかである。以下は、ＬＴＥにおけるいくつかのプライマリー送信方式のリストである。
−  ＴＭ１：  単一アンテナポート、ポート０
−  ＴＭ２：  ＴｘＤ
−  ＴＭ３：  開ループＳＭ
−  ＴＭ４：  閉ループＳＭ
−  ＴＭ９：  最大８レイヤの送信、ポート７〜１４
−  ＴＭ１０：  最大８レイヤの送信、ポート７〜１４
【００１２】
なお、この点では、ＴＭ９とＴＭ１０は同じであるが、ＴＭ９とＴＭ１０は、他の点で異なっていることに留意されたい。ＴＭ１〜ＴＭ６では、セル固有参照信号（ＣＲＳ）が、ユーザ機器（ＵＥ）におけるチャネル状態情報フィードバックと復調の両方のための参照信号として使用される一方、ＴＭ７〜ＴＭ１０では、ＵＥ固有復調参照信号（ＤＭＲＳ）が、復調用参照信号として使用される。
【００１３】
コードブックベースのプリコーディング
マルチアンテナ技法は、ワイヤレス通信システムのデータ速度および信頼性を著しく高めることができる。トランスミッタとレシーバの両方で複数のアンテナが装備されると、多入力多出力（ＭＩＭＯ）通信チャネルが得られ、性能が特に改善される。そのようなシステムおよび／または関連する技法は、一般的にＭＩＭＯと呼ばれる。
【００１４】
ＬＴＥ規格は、現在では、拡張ＭＩＭＯサポートを用いて発展している。ＬＴＥ中の核となる構成要素は、ＭＩＭＯアンテナ配備およびＭＩＭＯ関連技法のサポートである。現在では、ＬＴＥ  Ａｄｖａｎｃｅｄは、最大８レイヤの空間多重ならびに最大３２または１６個のトランスミッタ（Ｔｘ）アンテナならびにチャネル依存性プリコーディングをサポートする。空間多重モードは、好ましいチャネル条件における速いデータ速度を狙っている。ＬＴＥにおけるプリコーディングされた空間多重モードの送信構造の図解が図４に提供される。
【００１５】
図４に見られるように、シンボルベクトルｓを搬送する情報は、ＮＴ×ｒのプリコーダ行列Ｗで乗算される。ＮＴ×ｒのプリコーダ行列Ｗは、（ＮＴのアンテナポートに対応する）ＮＴ次元のベクトル空間の部分空間に送信エネルギーを分配する働きをする。プリコーダ行列は、典型的には、可能なプリコーダ行列のコードブックから選択され、典型的には、プリコーダ行列インジケータ（ＰＭＩ）によって示される。プリコーダ行列インジケータ（ＰＭＩ）は、所与の数のシンボルストリームについてコードブック中の一意のプリコーダ行列を指定する。ｓの中のｒ個のシンボルは各々レイヤに対応し、ｒは送信ランクと呼ばれる。この方法では、同じ時間／周波数リソースエレメント（ＴＦＲＥ）またはＲＥにわたって複数のシンボルを同時に送信できるために、空間多重が達成される。シンボルの数ｒは、典型的には、現在のチャネル特性に適合するように構成される。
【００１６】
ＬＴＥは、ダウンリンクでＯＦＤＭ（また、アップリンクでＤＦＴプリコードされたＯＦＤＭ）を使用し、このため、サブキャリアｎ（または代わりに、データＴＦＲＥ数ｎ）上のあるＴＦＲＥについての、受け取ったＮＲ×１（ここで、ＮＲは、ＵＥにおける受信アンテナポートの数である）ベクトルｙｎは、したがって次式によってモデル化される。
ｙｎ＝ＨｎＷｓｎ＋ｅｎ  （１）
ｅｎは、ランダムプロセスの具現化として得られるノイズ／干渉ベクトルである。プリコーダＷは、ワイドバンドプリコーダであってよく、周波数にわたって一定または周波数選択性である。
【００１７】
プリコーダ行列は、ＮＲ×ＮＴのＭＩＭＯチャネル行列Ｈｎの性質と一致するように選択されることが多く、いわゆるチャネル依存性プリコーディングが得られる。これは、一般的に、閉ループプリコーディングとも呼ばれ、基本的に送信エネルギーを部分空間へと集中させようと努め、送信エネルギーの多くをＵＥに伝達するという意味が強い。加えて、プリコーダ行列は、ＵＥにおける適切な線形等化後にレイヤ間干渉が減少することを意味する、チャネルを直交化させようと努めるように選択することもできる。
【００１８】
送信ランク、したがって空間多重したレイヤの数は、プリコーダのカラムの数に反映される。性能を高能率にするため、チャネル特性と整合する送信ランクが選択されることが重要である。
【００１９】
ＳＵ−ＭＩＭＯおよびＭＵ−ＭＩＭＯ
すべてのデータレイヤが１つのＵＥに送信されるとき、単一ユーザＭＩＭＯまたはＳＵ−ＭＩＭＯと呼ばれる。一方、データレイヤが複数のＵＥに送信されるとき、マルチユーザＭＩＭＯまたはＭＵ−ＭＩＭＯと呼ばれる。ＭＵ−ＭＩＭＯは、たとえば、２つのＵＥが、セルの異なる区域に配置され、それによって、ベーストランシーバステーション（ＢＴＳ）において異なるプリコーダを介して２つのＵＥを分離する（またはビーム形成する）ことができるときに可能であり、異なるプリコーダまたはビームを使用することによって、同じ時間−周波数リソース（すなわち、ＰＲＢ）上で、２つのＵＥをサーブすることができる。ＤＭＲＳベースの送信モードＴＭ９およびＴＭ１０では、ＭＵ−ＭＩＭＯのために、異なるＤＭＲＳポートおよび／または異なるスクランブルコードを有する同じＤＭＲＳポートを、異なるＵＥに割り当てることができる。この場合、ＭＵ−ＭＩＭＯは、ＵＥに対して透過性である、すなわち、ＵＥは、同じＰＲＢ中の別のＵＥの相互のスケジューリングについて通知を受けない。
【００２０】
ＭＵ−ＭＩＭＯは、ｅＮＢが分離したＵＥにプリコーディングを使用するため、すなわち、相互にスケジューリングされたＵＥへの相互干渉を減少させるため、ＳＵ−ＭＩＭＯよりも正確なダウンリンクチャネル情報を必要とする。
【００２１】
チャネル状態情報参照信号（ＣＳＩ−ＲＳ）
ＬＴＥリリース１０（Ｒｅｌ−１０）では、チャネル状態情報を推定する目的で、新しいチャネル状態情報参照信号（ＣＳＩ−ＲＳ）が導入された。ＣＳＩ−ＲＳベースのＣＳＩフィードバックは、以前のリリースで使用されたＣＲＳベースのＣＳＩフィードバックを超えるいくつかの利点を実現する。第１に、ＣＳＩ−ＲＳは、データ信号の復調には使用されず、したがって、同じ密度を必要としない（すなわち、ＣＳＩ−ＲＳのオーバーヘッドが実質的に少ない）。第２に、ＣＳＩ−ＲＳは、ＣＳＩフィードバック測定を設定するのに、はるかにフレキシブルな手段を実現する（たとえば、どのＣＳＩ−ＲＳリソースを測定するのかをＵＥ特有の方法で設定することができる）。
【００２２】
２つのタイプのＣＳＩ−ＲＳ、すなわち、非ゼロ電力（ＮＺＰ）およびゼロ電力（ＺＰ）ＣＳＩ−ＲＳがＬＴＥ中で規定される。ＮＺＰ  ＣＳＩ−ＲＳを使用して、サービング送信ポイント（ＴＰ）の有効チャネルを推定することができる一方、ＺＰ  ＣＳＩ−ＲＳを使用して、ＺＰ  ＣＳＩ−ＲＳリソースエレメント中の信号を受信する他のＵＥに対する干渉を測定する、または干渉を防止することができる。簡略化のために、ＮＺＰ  ＣＳＩ−ＲＳは、この開示の中では、ＣＳＩ−ＲＳと時々呼ばれる場合がある。
【００２３】
ＣＳＩ−ＲＳ上で測定することによって、ＵＥは、無線伝播チャネルおよびアンテナ利得を含む、ＣＳＩ−ＲＳが横切っている有効チャネルを推定することができる。より数学的に厳密には、これは、既知のＣＳＩ−ＲＳ信号ｘが送信される場合には、ＵＥが、送信信号と受信信号の間の結合（すなわち、有効チャネル）を推定できることを暗示する。したがって、送信において仮想化が行われない場合、受信信号ｙは次式で表すことができる。
ｙ＝Ｈｘ＋ｅ  （２）
また、ＵＥは、有効チャネルＨを推定することができる。
【００２４】
最大８個のＣＳＩ−ＲＳポートを、Ｒｅｌ−１１  ＵＥ用に設定することができ、すなわち、ＵＥは、したがって、最大８個の送信アンテナからチャネルを推定することができる。Ｒｅｌ−１３では、最大１６個のＣＳＩ−ＲＳポートがサポートされる。
【００２５】
図５は、ＰＲＢにおける、ＣＳＩ−ＲＳ割り当てで利用できるＲＥを示す。最大４０個のＲＥをＣＳＩ−ＲＳ用に設定することができる。ＣＳＩ−ＲＳは、ＵＥが、全帯域にわたってＣＳＩを測定するため、ダウンリンクシステム帯域のすべてのＰＲＢにわたって送信される。
【００２６】
ＣＳＩ−ＲＳは、ＣＳＩ−ＲＳサブフレームとも呼ばれる、ある種のサブフレーム上で周期的に送信することができる。ＣＳＩ−ＲＳサブフレーム設定は、サブフレーム周期性およびサブフレームオフセットからなる。周期性は、５、１０、２０、４０、および８０ｍｓに設定可能である。
【００２７】
ＣＳＩ−ＲＳ設定は、ＣＳＩ−ＲＳリソース設定およびＣＳＩ−ＲＳサブフレーム設定からなる。
【００２８】
コードブックベースのチャネル状態情報（ＣＳＩ）推定およびフィードバック
ＴＭ９およびＴＭ１０などといった閉ループＭＩＭＯ送信方式では、ＵＥは、ダウンリンクＣＳＩを推定してエボルブドノードＢ（ｅＮＢ）にフィードバックする。ｅＮＢは、フィードバックＣＳＩを使用して、ダウンリンクデータをＵＥに送信する。ＣＳＩは、送信ランクインジケータ（ＲＩ）、プリコーディング行列インジケータ（ＰＭＩ）、およびチャネル品質インジケータ（ＣＱＩ）からなる。各ランクについてのプリコーディング行列のコードブックがＵＥによって使用され、たとえば、ＵＥスループットといったある種の基準に基づいて、推定されたダウンリンクチャネルＨｎとコードブック中のプリコーディング行列との間の最良な一致を見いだす。チャネルＨｎは、ＴＭ９およびＴＭ１０についてダウンリンク中で送信されたＮＺＰ  ＣＳＩ−ＲＳに基づいて推定される。
【００２９】
ＣＱＩ／ＲＩ／ＰＭＩは、一緒になって、ＵＥのダウンリンクチャネル状態を提供する。Ｈｎの推定が直接フィードバックされないため、これは、間接的ＣＳＩフィードバックとも呼ばれる。ＣＱＩ／ＲＩ／ＰＭＩは、どのリポーティングモードが設定されているのかに依存して、ワイドバンドまたはサブバンドであってよい。
【００３０】
ＲＩは、空間多重され、したがってダウンリンクチャネルにわたって並列に送信される、データシンボル／ストリームの推奨数に対応する。ＰＭＩは、チャネルの空間的性質に関連する、送信のための（ＣＳＩ−ＲＳポートの数と同じ数の行を有するプリコーダを含むコードブック中の）推奨されるプリコーディング行列コードワードを識別する。ＣＱＩは、推奨されるトランスポートブロックサイズ（すなわち、コード速度）を表し、ＬＴＥは、１つのサブフレーム中のＵＥへのトランスポートブロック（すなわち、別個に符号化した情報のブロック）の１つの送信または２つの同時の（異なるレイヤ上の）送信をサポートする。したがって、ＣＱＩと、トランスポートブロックが送信される空間ストリームの信号対干渉プラス雑音比（ＳＩＮＲ）との間に関係がある。
【００３１】
最大３２個（以前は１６個）のアンテナポートのコードブックが、ＬＴＥで規定されている。１次元（１Ｄ）および２次元（２Ｄ）アンテナアレイの両方がサポートされる。ＬＴＥ  Ｒｅｌ−１２  ＵＥおよびそれ以前のものでは、２、４、または８個のアンテナポートを有する、１Ｄポートレイアウトについてのコードブックフィードバックだけがサポートされる。したがって、コードブックは、これらのポートが直線上に配置されると仮定して設計される。ＬＴＥ  Ｒｅｌ−１３では、８、１２、または１６個のアンテナポートの場合について、２Ｄポートレイアウトについてのコードブックが指定された。加えて、ＬＴＥ  Ｒｅｌ−１３では、１６個のアンテナポートの場合について、１Ｄポートレイアウトについてのコードブックも指定された。
【００３２】
ＬＴＥ  Ｒｅｌ−１３では、２つのタイプのＣＳＩリポーティング、すなわち、クラスＡおよびクラスＢが導入された。クラスＡ  ＣＳＩリポーティングでは、ＵＥは、８、１２、または１６個のアンテナポートを有して設定された２Ｄアンテナアレイについてのコードブックに基づいて、ＣＳＩを測定およびリポートする。クラスＡコードブックは、５つのパラメータ、すなわち、（Ｎ１，Ｎ２，Ｏ１，Ｏ２，Ｃｏｎｆｉｇ）によって規定され、ここで、（Ｎ１，Ｎ２）は、それぞれ第１の次元および第２の次元におけるアンテナポートの数であり、（Ｏ１，Ｏ２）は、それぞれ第１の次元および第２の次元についてのＤＦＴオーバーサンプリング係数である。Ｃｏｎｆｉｇは、１から４の範囲であり、コードブックが形成される４個の異なる方法を規定する。Ｃｏｎｆｉｇ＝１では、単一２Ｄビームに対応するＰＭＩが、全システム帯域幅でフィードバックされる一方、Ｃｏｎｆｉｇ∈｛２，３，４｝では、４個の２Ｄビームに対応するＰＭＩがフィードバックされ、各サブバンドを、異なる２Ｄビームと関連付けることができる。ＣＳＩは、プリＲｅｌ−１３中のＣＳＩリポーティングと同様に、ＲＩ、ＰＭＩ、および１つまたは複数のＣＱＩからなる。
【００３３】
クラスＢ  ＣＳＩリポーティングでは、（「Ｋ＞１」とも呼ばれる）１つのシナリオで、ｅＮＢが、１つのアンテナ次元に複数のビームを事前成形することができる。他のアンテナ次元上の各ビーム内に、複数のポート（１、２、４、または８個のポート）が存在することができる。「ビーム形成した」ＣＳＩ−ＲＳは、各ビームに沿って送信される。ＵＥは、設定されたビームのグループから最良のビームを最初に選択し、次いで、２、４、または８個のポートについてのレガシーコードブックに基づいて選択したビーム内でＣＳＩを測定する。ＵＥは、次いで、選択したビームインデックスおよび選択したビームに対応するＣＳＩをリポートバックする。（「Ｋ＝１」とも呼ばれる）別のシナリオでは、ｅＮＢが、各偏波上で最大４個の（２Ｄ）ビームを成形することができ、「ビーム成形した」ＣＳＩ−ＲＳは、各ビームに沿って送信される。ＵＥは、「ビーム成形した」ＣＳＩ−ＲＳ上でＣＳＩを測定し、２、４、８個のポートについての新しいクラスＢコードブックに基づいてＣＳＩをフィードバックする。
【００３４】
ＬＴＥ  Ｒｅｌ−１４では、８、１２、１６、２０、２４、２８および３２個のアンテナポートを有する追加の１次元および２次元ポートレイアウトについてのクラスＡコードブックが指定された。加えて、アドバンスドクラスＡコードブックでは、ＭＵ−ＭＩＭＯ動作をサポートするより高い解像度チャネルフィードバックが導入された。しかし、ＵＥは、標準のクラスＡコードブックベースのフィードバックまたはアドバンスドコードブックベースのＣＳＩフィードバックのいずれかで、半静的に設定することだけができる。
【００３５】
ＣＳＩプロセス
ＬＴＥリリース１１では、各ＣＳＩプロセスがＣＳＩ−ＲＳリソースおよびＣＳＩ−ＩＭリソースと関連付けられるようにＣＳＩプロセスが規定される。ＣＳＩ−ＩＭリソースは、ＺＰ  ＣＳＩ−ＲＳリソースおよびＺＰ  ＣＳＩ−ＲＳサブフレーム設定によって規定される。送信モード１０におけるＵＥは、より高いレイヤによってサービングセル毎に１つまたは複数（最大４個）のＣＳＩプロセスで設定することができ、ＵＥによってリポートされる各ＣＳＩがＣＳＩプロセスに対応する。ｅＮＢへの各送信ポイントに関連付けされるＣＳＩをＵＥが測定およびフィードバックする協調マルチポイント（ＣＯＭＰ）送信をサポートするため、複数のＣＳＩプロセスが導入された。受け取ったＣＳＩに基づいて、ｅＮＢは、ＴＰのうちの１つからＵＥにデータを送信するように判断することができる。
【００３６】
ＣＳＩリポーティング
ＣＳＩリポーティングでは、それぞれ、Ｐ−ＣＳＩおよびＡ−ＣＳＩとして知られている周期的リポートと非周期的リポート（すなわち、ｅＮＢによってトリガされる）の両方がサポートされる。ＣＳＩプロセスにおいて、ＣＳＩ−ＲＳポートの組は、ＵＥが測定を実施するために設定される。これらのＣＳＩ−ＲＳポートは、５ｍｓ、１０ｍｓ、２０ｍｓなどの周期性で周期的に送信されるように設定することができる。周期的リポートは、ＰＵＣＣＨフォーマット２またはその変形形態（２ａ，２ｂ）を使用することができ、またたとえば、２０ｍｓといった、設定した周期性を同様に有する。ＲＩ、ＰＭＩ、ＣＱＩは、ＰＵＣＣＨフォーマット２のペイロードサイズ制限に起因して、いくつかの場合で異なるサブフレーム上でリポートされる場合がある。
【００３７】
非周期的ＣＳＩリポーティングの場合、ＵＥは、ｅＮＢによって要求されるときだけＣＳＩをリポートする。ＣＳＩリポーティング要求は、アップリンクＤＣＩ（すなわち、ＤＣＩ  ０、またはＤＣＩ  ４）で搬送され、対応するリポートは、ＤＣＩによって設定されるＰＵＳＣＨで搬送される。ＰＵＳＣＨは、一般的に、ＰＵＣＣＨよりもはるかに大きいペイロードを搬送することが可能であり、したがって、ＣＳＩを１つのサブフレーム中で送ることができる。
【００３８】
ＵＥのために設定される所与のＣＳＩプロセスでは、周期的ＣＳＩリポーティングと非周期的ＣＳＩリポーティングの両方を設定することができる。ＵＥに送るデータがない場合でさえ、ＵＥが周期的にＣＳＩをリポートするために、周期的ＣＳＩを使用することができる。これは、ｅＮＢにおいて、長期間ＣＳＩを得るために使用することができる。一方、ＵＥに送信するデータがあるときにだけ非周期的ＣＳＩを使用することができ、そのことで、速いチャネル変形形態、したがってより良好なチャネル利用をトラッキングするため、より多い瞬時ＣＳＩを提供することができる。
【００３９】
周期的ＣＳＩリポーティングと非周期的ＣＳＩリポーティングのために、異なるフィードバックリポーティングモードを使用することができる。たとえば、ワイドバンドＰＭＩおよびＣＱＩリポートを周期的ＣＳＩリポーティングのために設定することができ、一方サブバンドＰＭＩおよびＣＳＩリポートを非周期的ＣＳＩリポーティングのために設定することができる。しかし、同じＣＳＩプロセスでは、両方のために、同じコードブックが使用される。
【００４０】
いくつかのシナリオでは、ＣＳＩフィードバックは、コードブックセット制限設定によって、コードブック中のコードワードのサブセットに制限される場合がある。この場合には、ＵＥは、コードブック中のコードワードの設定したサブセットに基づいてＣＳＩを測定する。いくつかの他の場合には、コードブックのサブサンプリングを使用して、周期的ＣＳＩフィードバックのオーバーヘッドを減少させることができる。
【００４１】
複数のＣＳＩプロセスまたは複数のダウンリンクキャリア（またはセル）がＵＥのために設定されるとき、ＣＳＩリポーティング設定は、異なるセルまたは異なるＣＳＩプロセスについて異なってよい。しかし、ＣＳＩプロセス中のＮＺＰ  ＣＳＩ−ＲＳ設定では、ＣＳＩ測定およびリポーティングのため、ランク毎にただ１つのコードブックを設定することができる。ＬＴＥにおいて、同じＣＳＩ−ＲＳ設定のために異なるコードブックはサポートされない。
【発明の概要】
【００４２】
ここで、上で議論したように、現在の規格での問題は、所与のＣＳＩ−ＲＳリソース設定では、ＬＴＥ中の既存のＣＳＩフィードバックにおいて、周期的ＣＳＩフィードバックと非周期的ＣＳＩフィードバックの両方で、ランク毎に単一のコードブックが使用されることであると認識されている。これは、同じチャネル解像度または精度がリポートされることを意味する。現実のネットワークでは、ｅＮＢによって必要とされるチャネル情報は、ＳＵ−ＭＩＭＯとＭＵ−ＭＩＭＯで異なる。ＳＵ−ＭＩＭＯでよりも、より正確なチャネル情報がＭＵ−ＭＩＭＯで必要とされる。しかし、より正確なＣＳＩをフィードバックするには、アップリンクにより大きいフィードバックオーバーヘッドが必要なことになる。ＵＥがＭＵ−ＭＩＭＯ送信に参加できるかどうかは、ネットワーク中の他のＵＥ候補の可用性に依存し、これは経時的に変化する可能性がある。したがって、ＭＵ−ＭＩＭＯのための利用可能なＵＥ候補がないときは、ＳＵ−ＭＩＭＯ送信のための、標準のコードブックに基づいた低オーバーヘッドのＣＳＩフィードバックが適切である。一方、ＭＵ−ＭＩＭＯのための利用可能なＵＥ候補があるときは、ＭＵ−ＭＩＭＯ送信をサポートするため、アドバンスドコードブックに基づいたＣＳＩフィードバックを使用するべきである。したがって、動的にＣＳＩフィードバックタイプを切り替えることが可能であることが望ましい。こうして、既存のＣＳＩフィードバックは、低フィードバックオーバーヘッドを維持しながら、ＳＵ−ＭＩＭＯとＭＵ−ＭＩＭＯの両方のためのＣＳＩフィードバック要件を満足させることはない。
【００４３】
本開示の態様によれば、ＲＡＮノードを備える通信システムにおける、ＣＳＩフィードバックのための無線デバイスによって実施される方法が提供される。方法は、フィードバックのために、ＣＳＩ−ＲＳリソース、第１のＣＳＩタイプ、および第２のＣＳＩタイプについての情報をＲＡＮノードから受け取ることを含む。方法は、第１のＣＳＩタイプまたは第２のＣＳＩタイプのＣＳＩ測定およびフィードバックに対するＣＳＩフィードバック要求を、ＲＡＮノードから受け取ることも含む。方法は、ＣＳＩ−ＲＳリソース上で受け取った信号に基づいて示されたタイプのＣＳＩを測定することも含む。方法は、要求されたＣＳＩタイプのＣＳＩリポートをＲＡＮノードに送ることも含む。
【００４４】
本開示の別の態様によれば、無線デバイスにデータを送信するために複数の送信アンテナポートを装備するＲＡＮノードを備える通信システムにおけるＣＳＩフィードバックのためのＲＡＮノードにより実施される方法が提供される。方法は、フィードバックのために、ＣＳＩ−ＲＳリソース、第１のＣＳＩタイプ、および第２のＣＳＩタイプについての情報を無線デバイスに送ることを含む。方法は、第１のＣＳＩタイプまたは第２のＣＳＩタイプのＣＳＩ測定およびフィードバックに対するＣＳＩフィードバック要求を無線デバイスに送ることも含む。方法は、ＣＳＩ−ＲＳリソースにおいて少なくとも１つのＣＳＩ−ＲＳ信号を送信すること、および要求したＣＳＩタイプのＣＳＩリポートを無線デバイスから受け取ることも含む。
【００４５】
本開示の別の態様によれば、無線デバイスにデータを送信するために複数の送信アンテナポートが設けられたＲＡＮノードを備える通信システムにおけるＣＳＩフィードバックの方法が提供される。方法は、フィードバックのために、ＣＳＩ−ＲＳリソース、第１のＣＳＩタイプ、および第２のＣＳＩタイプについての情報を、ＲＡＮノードによって無線デバイスに送ることを含む。方法は、第１のＣＳＩタイプまたは第２のＣＳＩタイプのＣＳＩ測定およびフィードバックに対するＣＳＩフィードバック要求を、ＲＡＮノードによって無線デバイスに送ることも含む。方法は、ＣＳＩ−ＲＳリソースにおいて受け取った信号に基づいて示されたタイプのＣＳＩを、無線デバイスによって測定することも含む。方法は、要求したＣＳＩタイプのＣＳＩリポートを、ＲＡＮノードによって無線デバイスから受け取ることも含む。
【００４６】
本開示の別の態様によれば、コンピュータ実行可能構成要素がデバイス内の備えられるプロセッサ回路上で実行されるとき、本システムの実施形態などのデバイス、無線デバイス、または本開示のＲＡＮノードに、本開示内の方法実施形態を実現させるためのコンピュータ実行可能構成要素を備えるコンピュータプログラム製品が提供される。
【００４７】
本開示の別の態様によれば、ＲＡＮノードを備える通信システムにおける、ＣＳＩフィードバックのための無線デバイスが提供される。無線デバイスは、プロセッサ回路および前記プロセッサ回路によって実行可能な命令を記憶する記憶装置を備え、それによって前記無線デバイスは、フィードバックのために、ＣＳＩ−ＲＳリソース、第１のＣＳＩタイプ、および第２のＣＳＩタイプについての情報をＲＡＮノードから受け取るように動作可能である。無線デバイスは、第１のＣＳＩタイプまたは第２のＣＳＩタイプのＣＳＩ測定およびフィードバックに対するＣＳＩフィードバック要求をＲＡＮノードから受け取るようにも動作可能である。無線デバイスは、ＣＳＩ−ＲＳリソース上で受け取った信号に基づいて示されたタイプのＣＳＩを測定するようにも動作可能である。無線デバイスは、要求されたＣＳＩタイプのＣＳＩリポートをＲＡＮノードに送るようにも動作可能である。
【００４８】
本開示の別の態様によれば、無線デバイスにデータを送信するために複数の送信アンテナポートを装備するＲＡＮノードを備える通信システムにおけるＣＳＩフィードバックのためのＲＡＮノードが提供される。ＲＡＮノードは、プロセッサ回路および前記プロセッサ回路によって実行可能な命令を記憶する記憶装置を備え、それによって前記ＲＡＮノードは、フィードバックのために、ＣＳＩ−ＲＳリソース、第１のＣＳＩタイプ、および第２のＣＳＩタイプについての情報を無線デバイスに送るように動作可能である。ＲＡＮノードは、第１のＣＳＩタイプまたは第２のＣＳＩタイプのＣＳＩ測定およびフィードバックに対するＣＳＩフィードバック要求を無線デバイスに送るようにも動作可能である。ＲＡＮノードは、ＣＳＩ−ＲＳリソースにおいて少なくとも１つのＣＳＩ−ＲＳ信号を送信するようにも動作可能である。ＲＡＮノードは、要求したＣＳＩタイプのＣＳＩリポートを無線デバイスから受け取るようにも動作可能である。
【００４９】
本開示の別の態様によれば、プロセッサ回路および前記プロセッサ回路によって実行可能な命令を記憶する記憶装置を備える通信システムが提供され、それによって前記システムは、フィードバックのために、ＣＳＩ−ＲＳリソース、第１のＣＳＩタイプ、および第２のＣＳＩタイプについての情報を、通信システムに含まれるＲＡＮノードによって通信システムに含まれる無線デバイスに送るように動作可能である。システムは、第１のＣＳＩタイプまたは第２のＣＳＩタイプのＣＳＩ測定およびフィードバックに対するＣＳＩフィードバック要求を、ＲＡＮノードによって無線デバイスに送るようにも動作可能である。システムは、ＣＳＩ−ＲＳリソースにおいて受け取った信号に基づいて示されたタイプのＣＳＩを、無線デバイスによって測定するようにも動作可能である。システムは、要求したＣＳＩタイプのＣＳＩリポートを、ＲＡＮノードによって無線デバイスから受け取るようにも動作可能である。
【００５０】
本開示の別の態様によれば、無線デバイスにデータを送信するために複数の送信アンテナポートを装備するＲＡＮノードを備える通信システムにおけるＣＳＩフィードバックのためのコンピュータプログラムが提供される。コンピュータプログラムは、無線デバイスのプロセッサ回路上で実行するとき、無線デバイスに、フィードバックのために、ＣＳＩ−ＲＳリソース、第１のＣＳＩタイプ、および第２のＣＳＩタイプについての情報をＲＡＮノードから受け取らせることが可能なコンピュータプログラムコードを含む。コードは、無線デバイスに、第１のＣＳＩタイプまたは第２のＣＳＩタイプのＣＳＩ測定およびフィードバックに対するＣＳＩフィードバック要求を、ＲＡＮノードから受け取らせることも可能である。コードは、無線デバイスに、ＣＳＩ−ＲＳリソース上で受け取った信号に基づいて示されたタイプのＣＳＩを測定させることも可能である。コードは、無線デバイスに、要求したＣＳＩタイプのＣＳＩリポートをＲＡＮノードへ送らせることも可能である。
【００５１】
本開示の別の態様によれば、無線デバイスにデータを送信するために複数の送信アンテナポートを装備するＲＡＮノードを備える通信システムにおけるＣＳＩフィードバックのためのコンピュータプログラムが提供される。コンピュータプログラムは、ＲＡＮノードのプロセッサ回路上で実行するとき、ＲＡＮノードに、フィードバックのためにＣＳＩ−ＲＳリソース、第１のＣＳＩタイプ、および第２のＣＳＩタイプについての情報を無線デバイスへ送らせることが可能なコンピュータプログラムコードを含む。コードは、ＲＡＮノードに、第１のＣＳＩタイプまたは第２のＣＳＩタイプのＣＳＩ測定およびフィードバックに対するＣＳＩフィードバック要求を、無線デバイスへ送らせることも可能である。コードは、ＲＡＮノードに、ＣＳＩ−ＲＳリソースにおいて少なくとも１つのＣＳＩ−ＲＳ信号を送信させることも可能である。コードは、ＲＡＮノードに、要求したＣＳＩタイプのＣＳＩリポートを無線デバイスから受け取らせることも可能である。
【００５２】
本開示によれば、問題への解決策は、異なる精度または解像度を有するＣＳＩをフィードバックする方法によって提案され、ここでは、ランク毎に１つより多いコードブックを、単一または複数のＣＳＩ−ＲＳプロセスのいずれかで設定されたＣＳＩ−ＲＳリソースのために設定することができる。
【００５３】
ＣＳＩ−ＲＳリソースと関連付けられたコードブックは、無線リソース制御（ＲＲＣ）シグナリングを介してＵＥに、半静的にシグナリングすることができる。ＣＳＩ測定およびフィードバックのために使用されるコードブックは、ｅＮＢからＵＥに動的に示すことができる。動的な指示は、ダウンリンクグラントまたはアップリンクグラントのいずれかを介したダウンリンク制御情報で搬送することができる。
【００５４】
提案された解決策は、ＣＳＩ精度とフィードバックオーバーヘッドの間に、より効果的なトレードオフを提供する。たとえば、ネットワーク負荷が低く、ＭＵ−ＭＩＭＯ送信用にシステム中に多くのＵＥが存在しないとき、低精度または解像度を有するＣＳＩフィードバックを使用して、フィードバックオーバーヘッドを節約することができる。一方、システム中に多くのアクティブなＵＥが存在し、ＭＵ−ＭＩＭＯ送信が有益なとき、高精度または解像度を有するＣＳＩフィードバックを使用することができる。
【００５５】
加えて、ＵＥがＭＵ−ＭＩＭＯ送信の候補であるとき、高精度ＣＳＩフィードバックをＵＥからのみ要求することができる。
【００５６】
一般的に、請求項で使用されるすべての用語は、本明細書で明示的に別段の指示がない限り、当技術分野でのそれらの通常の意味にしたがって解釈されるべきである。「１つの／その（ａ／ａｎ／ｔｈｅ）要素、装置、構成要素、手段、ステップなど」へのすべての言及は、明示的に別段の指示がない限り、要素、装置、構成要素、手段、ステップなどのうちの少なくとも１つのインスタンスを言及するとオープンに解釈されるべきである。本明細書に開示される任意の方法のステップは、明示的に言及されない限り、開示される正確な順番に実施する必要はない。本開示の異なる特徴／構成要素についての、「第１の」、「第２の」などの使用は、特徴／構成要素を他の同様の特徴／構成要素から区別することだけを意図しており、特徴／構成要素に対し任意の順番または階層を付与しない。
【００５７】
実施形態は、例として、添付図面を参照して記載される。
【図面の簡単な説明】
【００５８】
【図１】ＬＴＥ中のＲＥの概略的な時間−周波数グリッドの図である。
【図２】ＬＴＥ中の無線フレームの概略図である。
【図３】ＬＴＥ中の制御シグナリングの概略的な時間−周波数グリッドの図である。
【図４】ＬＴＥ中のプリコーディングの概略ブロック図である。
【図５】ＬＴＥ中のＣＳＩ−ＲＳ割り当てについてのＲＥの概略的な時間−周波数グリッドの図である。
【図６】本開示にしたがった、通信システムの実施形態の概略図である。
【図７】本開示にしたがった、マルチ解像度ＣＳＩフィードバックのための、一連のサブフレームの実施形態の概略ブロック図である。
【図８】本開示にしたがった、高解像度ＣＳＩフィードバックをトリガするための、一連のサブフレームの実施形態の概略ブロック図である。
【図９】本開示にしたがった、高解像度ＣＳＩフィードバックをトリガするための、一連のサブフレームの別の実施形態の概略ブロック図である。
【図１０】本開示にしたがった、非周期的ＣＳＩ−ＲＳ送信および高解像度ＣＳＩフィードバックをトリガするための、一連のサブフレームの実施形態の概略ブロック図である。
【図１１】本開示にしたがった、非周期的ＣＳＩ−ＲＳ送信および高解像度ＣＳＩフィードバックをトリガするための、一連のサブフレームの別の実施形態の概略ブロック図である。
【図１２】本開示にしたがった方法の例示的な実施形態の概略フローチャートである。
【図１３ａ】本開示にしたがった、ＲＡＮノードの実施形態の概略ブロック図である。
【図１３ｂ】本開示にしたがった、ＲＡＮノードの実施形態の概略機能ブロック図である。
【図１４ａ】本開示にしたがった、無線デバイスの実施形態の概略ブロック図である。
【図１４ｂ】本開示にしたがった、無線デバイスの実施形態の概略機能ブロック図である。
【図１５】本開示にしたがった、コンピュータプログラム製品の実施形態の概略図である。
【図１６】本開示にしたがった、ＲＡＮノードにより実施される方法の実施形態の概略フローチャートである。
【図１７】本開示にしたがった、無線デバイスにより実施される方法の実施形態の概略フローチャートである。
【発明を実施するための形態】
【００５９】
実施形態は、ここで、ある種の実施形態が示される添付図面を参照して、以降でより完全に記載される。しかし、多くの異なる形態の他の実施形態が、本開示の範囲内で可能である。むしろ、以下の実施形態は例として提供され、その結果、本開示は、十分で完全となり、当業者に本開示の範囲を完全に伝達することになる。記載を通して、同様の番号は、同様の要素を指す。
【００６０】
実施形態を例示するために、本開示の中では、３ＧＰＰ  ＬＴＥからの用語法が使用されているが、本開示の範囲を上述のシステムだけに限定すると考えるべきでないことに留意されたい。次世代無線（ＮＲまたは５Ｇ）、Ｗｉｄｅｂａｎｄ  Ｃｏｄｅ  Ｄｉｖｉｓｉｏｎ  Ｍｕｌｔｉｐｌｅ  Ａｃｃｅｓｓ（ＷＣＤＭＡ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ  （ＷｉＭａｘ）、Ｕｌｔｒａ  Ｍｏｂｉｌｅ  Ｂｒｏａｄｂａｎｄ  （ＵＭＢ）、およびＧｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）を含む他のワイヤレスシステムは、本開示内でカバーされるアイデアを利用することから、やはり恩恵を被ることができる。
【００６１】
ｅＮｏｄｅＢ（ｅＮＢ）およびＵＥなどの用語法は非限定であると考えるべきであり、２つの間に特定の階層的関係を特に暗示しないことにも留意されたい。一般的に、「ｅＮｏｄｅＢ」が第１のデバイス、「ＵＥ」が第２のデバイスと考えることができ、これら２つのデバイスが何らかの無線チャネルで互いに通信する。本明細書では、ダウンリンクにおける無線送信にも焦点を当てているが、本開示は、アップリンクにも適用可能な場合がある。
【００６２】
図６は、本開示にしたがった、通信システムまたはネットワーク１の実施形態の概略図である。通信システム１は、たとえば、３ＧＰＰ通信規格にしたがったｅＮＢまたはセルラ通信ネットワークの他の基地局といった、少なくとも１つのＲＡＮノード３を備える無線アクセスネットワーク（ＲＡＮ）２を備える。ＲＡＮノード３は、アンテナポートに対応する、１つまたは複数のアンテナまたはアンテナ要素５によって、ＲＡＮ２のセル４をサーブする。しばしば、通信システム１のＲＡＮ２は、複数のセルをサーブする、複数のＲＡＮノード／基地局３を備えるが、図は、単に１つのＲＡＮノード３および１つのセル４を示すように簡略化される。セル４によってカバーされる地理的区域内に配置される、たとえば、ＵＥまたは他のワイヤレス端末といった、モバイルまたは固定の無線デバイス６は、ＲＡＮノード３と接続すること、およびＲＡＮノード３と通信し、またはＲＡＮノード３を介して通信することができる。任意の数の無線デバイス６をセル区域内に配置することができるが、図では、第１の無線デバイス６ａおよび第２の無線デバイス６ｂが示される。各無線デバイス６は、アンテナポートに対応する、１つまたは複数のアンテナまたはアンテナ要素７を備える。
【００６３】
一般的に、本明細書で議論されるような無線デバイス６は、たとえば限定するものではないが、たとえばモバイルフォン、スマートフォン、モデム、センサ、メーター、車両（たとえば、車）、家庭用機器、医療用機器、メディアプレイヤ、カメラ、またはたとえば限定するものではないが、テレビジョン、ラジオ、照明装置、タブレットコンピュータ、ラップトップ、もしくはパーソナルコンピュータ（ＰＣ）といった任意のタイプの民生用電子機器といった、通信システムまたはネットワーク１における無線チャネルで通信することが可能な、モバイルまたは固定の任意のワイヤレスデバイスまたはユーザ機器（ＵＥ）であってよい。
【００６４】
半固定に設定されるＣＳＩ−ＲＳサブフレームで送信されるＣＳＩ−ＲＳに基づいた、マルチ解像度ＣＳＩリポーティングのいくつかの実施形態では、ＵＥ６は、ＵＥにシグナリングされる同じ送信アンテナポートレイアウト（Ｎ１，Ｎ２）について２つのタイプのＣＳＩをリポートするように設定され、ここで、Ｎ１、Ｎ２は、第１の次元および第２の次元におけるアンテナポートの数である。たとえば、Ｎ１は、水平方向におけるアンテナポートの数であってよく、Ｎ２は、垂直方向における垂直アンテナポートの数であってよい。設定は、ＵＥに接続されたｅＮＢ３によるＲＲＣシグナリングを介して、ＵＥへ半静的にシグナリングすることができる。
【００６５】
ＣＳＩ測定では、ＵＥ６は、１つのＣＳＩ−ＲＳリソース設定および設定された（Ｎ１，Ｎ２）アンテナポート上のＣＳＩ−ＲＳ送信についてのＣＳＩ−ＲＳサブフレームのセットでシグナリングされる。ＵＥは、すべてが単一のＣＳＩ−ＲＳプロセスに関連付けられる、２つのタイプのＣＳＩの両方で使用される干渉測定リソースでもシグナリングされる。
【００６６】
あるいは、ＵＥ６は、同じＣＳＩ−ＲＳリソースを有する２つのＣＳＩ−ＲＳプロセスで設定することができる。第１のタイプのＣＳＩが１つのＣＳＩ−ＲＳプロセスと関連付けられ、第２のタイプのＣＳＩが別のＣＳＩ−ＲＳプロセスと関連付けられる。これは、図７に図示される。
【００６７】
第１のタイプのＣＳＩは、既存の「クラスＡ」コードブックに基づいたＣＳＩリポーティングについてＬＴＥリリース１３に規定される「クラスＡ」タイプのＣＳＩであってよい。たとえば、コードブックは、（Ｎ１，Ｎ２，Ｏ１，Ｏ２，Ｃｏｎｆｉｇ＿ｎｕｍ）によって設定することができ、ここで、Ｏ１およびＯ２は、ＤＦＴビームオーバーサンプリング係数であり、Ｃｏｎｆｉｇ＿ｎｕｍは、ＬＴＥリリース１３に規定される４個の設定のうちの１つである。このタイプのＣＳＩは、一般的に低解像度を有し、主にＳＵ−ＭＩＭＯ送信で使用される。
【００６８】
第２のタイプのＣＳＩは、拡張チャネルフィードバック、すなわち高精度および／または高解像度を有するＣＳＩであってよい。高精度または高解像度ＣＳＩとは、ｅＮＢが下位のチャネルをより良好に再構築するためにＣＳＩを使用できることを意味する。Ｈを、ＵＥにおける、推定されたＮＲ×ＮＴの（ＮＲ個の受信アンテナポートおよびＮＴ個の送信アンテナポートに対応する）チャネル行列であり、Ｈ１、Ｈ２をそれぞれ、第１のタイプのＣＳＩおよび第２のタイプのＣＳＩフィードバックに基づいた再構築されたチャネル行列であるとする。
｜｜Ｈ−Ｈ２｜｜２＜｜｜Ｈ−Ｈ１｜｜２
が得られ、ここで、
｜｜・｜｜２
は、行列ノルムである。
｜｜Ｈ−Ｈｉ｜｜２（ｉ＝１，２）
は、チャネルフィードバック誤差を表す。言い換えると、チャネルフィードバック誤差は、第１のタイプのＣＳＩフィードバックでよりも、第２のタイプのＣＳＩフィードバックではるかに小さい。ＣＳＩ精度またはＣＳＩ解像度は、本明細書では、ＣＳＩ計算方法またはコードブックの最小チャネルフィードバック誤差が使用されると仮定して規定されることに留意されたい。たとえば、ＣＳＩリポートを決定するコードブックの部分を使用するだけのＣＳＩリポーティング方式が、完全なコードブックを使用するＣＳＩリポーティング方式より低い解像度を有するとはみなされない。
【００６９】
第２のタイプのＣＳＩフィードバックは、新しいコードブックに暗黙的に基づく、または明示的にコードブックが使用されないのいずれかであってよい。明示的なＣＳＩフィードバックの一例は、推定されるチャネル行列Ｈの量子化バージョン、またはその原理的な固有ベクトルおよび関連する固有値をフィードバックすることである。たとえば、
2019520732.tif 000003
をＨの（ｋ，ｌ）番目の要素であるとすると、大きさ｜ｈｋｌ｜および位相φｋｌの各々は、たとえば、４ビットといった、ある数のビットで量子化することができる。
2019520732.tif 000004
および
2019520732.tif 000005
を｜ｈｋｌ｜およびφｋｌの量子化バージョンとして表す。ここで、
2019520732.tif 000006
と
2019520732.tif 000007
の各々が、ｑｈ∈｛０，１，…，１５｝およびｑφ∈｛０，１，…，１５｝に関連付けられる２４＝１６個の異なる状態を有し、ｈｋｌの量子化バージョンは、ここで、
2019520732.tif 000008
となる。Ｈの量子化バージョンは、
2019520732.tif 000009
となり、その（ｋ，ｌ）番目の要素として
2019520732.tif 000010
を有する。
2019520732.tif 000011
は、次いで、各
2019520732.tif 000012
に対応するｑｈおよびｑφの値の組でＣＳＩフィードバック中で識別することができる。あるいは、Ｈの特異値分解（ＳＶＤ）を
2019520732.tif 000013
として実施することができ、ほんの少しの優位固有値｛λｉ｝および対応する固有ベクトル｛ｖｉ｝を量子化およびフィードバックすることができる。コードブックなしにＨを明示的にフィードバックする他の方法が存在する可能性がある。
【００７０】
２番目のタイプのＣＳＩは、典型的には、ＭＵ−ＭＩＭＯ送信をターゲットにする高解像度ＣＳＩフィードバックで使用することができる。
【００７１】
第２のタイプのＣＳＩは、第２のタイプのＣＳＩが要求されるときにだけ、すなわち非周期的にＵＥ６がリポートすることができる。要求は動的で、ＭＵ−ＭＩＭＯ送信のために、ＵＥがセル４中の別のＵＥと対となることができるときにのみシグナリングすることができる。
【００７２】
第１のタイプのＣＳＩは、周期的にリポートすることができ、ＵＥ６によって非周期的にリポートすることもできる。動的な要求は、どのタイプのＣＳＩをリポートするべきかを示すインジケータを含むこともできる。
【００７３】
一実施形態では、非周期的ＣＳＩフィードバック要求は、ＣＳＩ測定とＣＳＩリポートの間により長い処理時間をＵＥに提供するため、ＣＳＩ測定要求およびＣＳＩリポート要求を含む、またはＣＳＩ測定要求およびＣＳＩリポート要求からなる場合がある。２つの要求で、高解像度ＣＳＩフィードバックをトリガする例が図８に示される。ＣＳＩ測定要求は、最初に、ＵＥがＣＳＩを測定するサブフレーム中で送られ、その後に、ＵＥが測定したＣＳＩをリポートする後のサブフレーム中のＣＳＩリポート要求が続く。ＣＳＩ測定要求は、ＣＳＩ−ＲＳサブフレームの前またはＣＳＩ−ＲＳサブフレーム中に送られ、ＣＳＩリポート要求は、ＣＳＩ−ＲＳサブフレーム後に送られる必要がある。このことによって、ＵＥがＣＳＩを測定およびリポートする、より長い処理時間（たとえば、＞４サブフレーム）が可能になる。
【００７４】
ＣＳＩ測定要求は、どのＣＳＩタイプが測定およびリポートされるべきかを示すＣＳＩタイプインジケータを含むことができる。ＣＳＩリポートは、ＣＳＩリポートを搬送するアップリンクＰＵＳＣＨリソースを含むこともできる。ＰＵＳＣＨが送信されるサブフレームは、通常のＰＵＳＣＨ送信のために行われるように暗黙のうちにシグナリングされる（すなわち、ｎ＋４の関係であり、ｎは、アップリンクグラントを搬送するサブフレームであり、ｎ＋４は、ＰＵＳＣＨ送信のためのサブフレームである）、または明示的にシグナリングされる。
【００７５】
別の実施形態では、ＣＳＩ測定要求とＣＳＩリポート要求を組み合わせて、ｅＮＢ３が、同じサブフレーム中でＵＬグラントを介して送信することができる。単一の要求で、高解像度ＣＳＩフィードバックをトリガする例が図９に示される。この場合、ＵＬグラントは、ＣＳＩ−ＲＳサブフレーム中で送信される。暗黙的ＰＵＳＣＨ送信タイミングが使用されるとき、ＵＥ６は、４個のサブフレーム中でＣＳＩ測定を完了しリポートを行う。さもなければ、アップリンクグラントに関連付けられるＰＵＳＣＨ送信サブフレームの明示的なシグナリングを使用することができる。
【００７６】
半静的に設定されるＣＳＩ−ＲＳサブフレーム以外のサブフレーム中のＣＳＩ−ＲＳに基づいた、マルチ解像度ＣＳＩリポーティングのいくつかの実施形態では、任意のサブフレーム中の非周期的ＣＳＩ−ＲＳ送信をやはりサポートすることができ、そこでは、ＣＳＩ−ＲＳ送信は、設定されるＣＳＩ−ＲＳサブフレームに限定されない。設定されるＣＳＩ−ＲＳサブフレーム以外のサブフレーム中のＣＳＩ−ＲＳ送信は、ＣＳＩ測定要求がトリガすることができる。この場合、ＣＳＩ測定要求は、ＣＳＩ−ＲＳが送信される同じサブフレーム中で送信される。２つの要求を使用する非周期的ＣＳＩ−ＲＳ送信および高解像度ＣＳＩフィードバックのトリガの例が図１０に示される。
【００７７】
ＣＳＩ測定要求がサブフレーム中に受け取られると、ＵＥ６は、サブフレーム中に送信されたＣＳＩ−ＲＳに基づいてＣＳＩを測定する。ＣＳＩのタイプは、ＣＳＩ測定要求中に示される。
【００７８】
ＣＳＩリポート要求は、測定したＣＳＩをリポートするために、ＵＥへのＣＳＩ測定要求の後のサブフレームで送ることができる。
【００７９】
あるいは、ＣＳＩ測定要求とＣＳＩリポート要求を組み合わせて、ＣＳＩ−ＲＳが送信される同じサブフレーム中のアップリンクグラントで送信することができる。単一の要求を使用する非周期的ＣＳＩ−ＲＳ送信および高解像度ＣＳＩフィードバックのトリガの例が図１１に示される。
【００８０】
別の実施形態では、高解像度フィードバックは、トラフィックタイプに基づいてやはり要求される。たとえば、短いパケットを有するバーストトラフィックでは、非周期的高解像度リポート中に被る遅延は、ＭＵ−ＭＩＭＯには努力するだけの価値がないことを意味する可能性がある。たとえばＵＥ６といった、候補ユーザの対にとって、それらを共通スケジュールする機会が訪れる前に、一方または他方のユーザバッファをフラッシュすることができる。対照的に、より持続したトラフィックでは、バッファがフラッシュされる前に共通スケジュールする機会が依然としてある可能性がある。
【００８１】
図１２は、本開示の方法の異なる実施形態を描くフローチャートである。
【００８２】
第１のステップでは、ｅＮＢ３は、ＣＳＩ−ＲＳリソースに基づいた２つのタイプのＣＳＩリポーティングをＵＥ６に設定する。
１  第１のタイプは、「クラスＡ」コードブックベースのＣＳＩフィードバックである。
２  第２は、より高い解像度を有する拡張ＣＳＩフィードバックである。
【００８３】
第２のステップでは、ｅＮＢ３は、ＣＳＩフィードバック要求をＵＥ６に送ることによってＣＳＩフィードバックを動的にトリガし、要求は、ｅＮＢにフィードバックされるべきＣＳＩのタイプを含む。
【００８４】
第３のステップでは、ＣＳＩフィードバックトリガ（ＣＳＩフィードバック要求）がＵＥ６によって受け取られると、ＵＥは、トリガに関連付けられるサブフレーム中の設定されたＣＳＩ−ＲＳリソース中に示されたタイプのＣＳＩを測定し、測定されたＣＳＩを後のサブフレームでｅＮＢ３にリポートバックする。
【００８５】
本開示の一般的なデバイスおよび方法の実施形態が、下でさらに議論される。
【００８６】
図１３ａは、本開示のＲＡＮノード３の実施形態を概略的に図示する。ＲＡＮノード３は、たとえば、中央処理装置（ＣＰＵ）といったプロセッサ回路３１を備える。プロセッサ回路３１は、マイクロプロセッサの形で、１つまたは複数の処理ユニットを備えることができる。しかし、計算能力を有する他の好適なデバイス、たとえば、特定用途向け集積回路（ＡＳＩＣ）、フィールドプログラマブルゲートアレイ（ＦＰＧＡ）、または結合プログラム可能論理デバイス（ＣＰＬＤ）を、プロセッサ回路３１に含むことができる。プロセッサ回路３１は、たとえば、メモリといった、１つまたは複数の記憶ユニットの記憶装置３２の中に記憶された、１つまたは複数のコンピュータプログラムまたはソフトウェア（ＳＷ）１５１（図１５も参照）を実行するように設定される。記憶ユニットは、本明細書で議論されるようなコンピュータ可読手段１５２（図１５参照）と考えられ、たとえば、ランダムアクセスメモリ（ＲＡＭ）、フラッシュメモリ、もしくは他の固体メモリ、もしくはハードディスクの形であってよく、またはそれらの組合せであってよい。プロセッサ回路３１は、必要に応じて、記憶装置３２の中にデータを記憶するように設定することもできる。ＲＡＮノード３は、たとえば、本明細書で議論したようなアンテナまたはアンテナ要素５および対応するアンテナポートを備える、通信インターフェース３３、ならびに無線デバイス６とのワイヤレス（無線）通信のため、および場合によっては、たとえば、他のＲＡＮノードもしくはコアネットワークのノードといった通信システム１中の他のノードとの有線もしくはワイヤレス通信のため、トランスミッタおよびレシーバ手段をやはり備える。
【００８７】
図１３ｂは、図１３ａ中のＲＡＮノード３の実施形態を機能的に図示する概略ブロック図である。以前に言及したように、プロセッサ回路３１は、ＲＡＮノード３が、本開示の方法の実施形態を実施するのを可能にするためのソフトウェア１５１を実行することができ、それによって、方法の様々なステップを実施するために、機能モジュールをＲＡＮノードの中、たとえば、プロセッサ回路３１の中に形成することができる。これらのモジュールは、ＲＡＮノード３内のブロックとして概略的に図示される。したがって、ＲＡＮノード３は、フィードバックのために第１のＣＳＩタイプおよび第２のＣＳＩタイプについての情報を無線デバイス６に送るため、ならびに第１のＣＳＩタイプまたは第２のＣＳＩタイプのＣＳＩ測定およびフィードバックに対するＣＳＩフィードバック要求を無線デバイス６にたとえば動的に送るため、送信モジュール３５（たとえば、通信インターフェース３３に含まれるまたは通信インターフェース３３と協働する）を備える。ＲＡＮノードは、要求したＣＳＩタイプのＣＳＩリポートを無線デバイス６から受け取るため、受信モジュール３４（たとえば、通信インターフェース３３に含まれるまたは通信インターフェース３３と協働する）も備える。
【００８８】
図１４ａは、本開示の無線デバイス６の実施形態を概略的に図示する。無線デバイス６は、たとえば、中央処理装置（ＣＰＵ）といったプロセッサ回路６１を備える。プロセッサ回路６１は、マイクロプロセッサの形で、１つまたは複数の処理ユニットを備えることができる。しかし、計算能力を有する他の好適なデバイス、たとえば、特定用途向け集積回路（ＡＳＩＣ）、フィールドプログラマブルゲートアレイ（ＦＰＧＡ）、または結合プログラム可能論理デバイス（ＣＰＬＤ）を、プロセッサ回路６１に含むことができる。プロセッサ回路６１は、たとえば、メモリといった、１つまたは複数の記憶ユニットの記憶装置６２の中に記憶された、１つまたは複数のコンピュータプログラムまたはソフトウェア（ＳＷ）１５１（図１５も参照）を実行するように設定される。記憶ユニットは、本明細書で議論されるようなコンピュータ可読手段１５２（図１５参照）と考えられ、たとえば、ランダムアクセスメモリ（ＲＡＭ）、フラッシュメモリ、もしくは他の固体メモリ、もしくはハードディスクの形であってよく、またはそれらの組合せであってよい。プロセッサ回路６１は、必要に応じて、記憶装置６２の中にデータを記憶するように設定することもできる。無線デバイス６は、たとえば、本明細書で議論したようなアンテナまたはアンテナ要素７および対応するアンテナポートを備える、無線インターフェース６３、ならびにＲＡＮノード３とのワイヤレス（無線）通信のため、トランスミッタおよびレシーバ手段をやはり備える。
【００８９】
図１４ｂは、図１４ａ中の、無線デバイス６の実施形態を機能的に図示する概略ブロック図である。以前に言及したように、プロセッサ回路６１は、無線デバイス６が、本開示の方法の実施形態を実施するのを可能にするためのソフトウェア１５１を実行することができ、それによって、方法の様々なステップを実施するために、機能モジュールを無線デバイス６の中、たとえば、プロセッサ回路６１の中に形成することができる。これらのモジュールは、無線デバイス６内のブロックとして概略的に図示される。したがって、無線デバイス６は、フィードバックのために第１のＣＳＩタイプおよび第２のＣＳＩタイプについての情報をＲＡＮノード３から受け取るため、ならびに第１のＣＳＩタイプまたは第２のＣＳＩタイプのＣＳＩ測定およびフィードバックに対するＣＳＩフィードバック要求をＲＡＮノード３からたとえば動的に受け取るため、受信モジュール６５（たとえば、無線インターフェース６３に含まれるまたは無線インターフェース６３と協働する）を備える。無線デバイス６は、ＣＳＩ−ＲＳリソース上で受け取った信号に基づいて示されたタイプのＣＳＩを測定するための測定モジュール６６も備える。無線デバイス６は、要求したＣＳＩタイプのＣＳＩリポートをＲＡＮノード３に送るため、送信モジュール６７（たとえば、無線インターフェース６３に含まれるまたは無線インターフェース６３と協働する）も備える。
【００９０】
図１５は、コンピュータプログラム製品１５０の実施形態を図示する。コンピュータプログラム製品１５０は、コンピュータ実行可能構成要素の形でソフトウェア／コンピュータプログラム１５１を含むコンピュータ可読（たとえば、不揮発性および／または非一時的）媒体１５２を備える。コンピュータプログラム１５１は、たとえば、本明細書で議論したようなＲＡＮノード３または無線デバイス６といったデバイスに、本開示の方法の実施形態を実施させるように設定することができる。コンピュータプログラムは、プロセッサ回路３１／６１、ＲＡＮノード３／無線デバイス６に、方法を実施させるため、プロセッサ回路３１／６１、ＲＡＮノード３／無線デバイス６上で実行することができる。コンピュータプログラム製品１５０は、たとえば、ＲＡＮノード３／無線デバイス６に含まれてプロセッサ回路３１／６１に関連付けられる記憶ユニットまたはメモリ３２／６２に含まれてよい。あるいは、コンピュータプログラム製品１５０は、たとえばＣＤもしくはＤＶＤもしくはハードディスク／ドライブといったコンピュータ可読ディスク、またはたとえばＲＡＭもしくはフラッシュメモリといった固体記憶媒体などの、たとえばモバイルといった別個の記憶手段／媒体であってよく、または別個の記憶手段／媒体の部分であってよい。記憶媒体のさらなる例としては、限定するものではないが、フロッピーディスク、光学ディスク、ＤＶＤ、ＣＤ−ＲＯＭ、マイクロドライブ、および光磁気ディスクを含む任意のタイプのディスク、ＲＯＭ、ＲＡＭ、ＥＰＲＯＭ、ＥＥＰＲＯＭ、ＤＲＡＭ、ＶＲＡＭ、フラッシュメモリデバイス、磁気もしくは光カード、（分子メモリＩＣを含む）ナノシステム、または命令および／もしくはデータを記憶するのに好適な任意のタイプの媒体もしくはデバイスが挙げられる。本開示の実施形態は、本開示の教示にしたがいプログラムされる１つまたは複数のプロセッサ、メモリ、および／もしくはコンピュータ可読記憶媒体を含む、１つまたは複数の従来型汎用もしくは専用デジタルコンピュータ、コンピューティングデバイス、機械、もしくはマイクロプロセッサを使用して好都合に実装することができる。ソフトウェア業界の当業者には明らかなように、本開示の教示に基づいて、好適なソフトウェアコーディングを、当業界のプログラマが容易に準備することができる。
【００９１】
図１６は、データを無線デバイス６に送信するため複数の送信アンテナポート５が設けられたＲＡＮノード３を備える通信システム１におけるＣＳＩフィードバックのために、本開示にしたがった、ＲＡＮノード３の中で／ＲＡＮノード３によって実施される方法の実施形態の概略フローチャートである。方法は、フィードバックのために、第１のＣＳＩタイプ、および第２のＣＳＩタイプについての情報を、無線デバイス６に送ることＳ１を含む。方法は、第１のＣＳＩタイプまたは第２のＣＳＩタイプのＣＳＩ測定およびフィードバックに対するＣＳＩフィードバック要求を、無線デバイス６に、たとえば動的に送ることＳ２も含む。方法は、要求したＣＳＩタイプのＣＳＩリポートを無線デバイス６から受け取ることＳ３も含む。
【００９２】
図１７は、ＲＡＮノード３を備える通信システム１におけるＣＳＩフィードバックのために、本開示にしたがった、無線デバイス６の中で／無線デバイス６によって実施される方法の実施形態の概略フローチャートである。方法は、フィードバックのために、第１のＣＳＩタイプ、および第２のＣＳＩタイプについての情報を、ＲＡＮノード３から受け取ることＳ１１を含む。方法は、第１のＣＳＩタイプまたは第２のＣＳＩタイプのＣＳＩ測定およびフィードバックに対するＣＳＩフィードバック要求を、ＲＡＮノード３から、たとえば動的に受け取ることＳ１２も含む。本明細書で使用されるように、動的な送信および受信は、物理ダウンリンク制御チャネル（ＰＤＣＣＨ）を含むことができる。方法は、ＣＳＩ−ＲＳリソース上で受け取った信号に基づいて示されたタイプのＣＳＩを測定することＳ１３も含む。方法は、要求したＣＳＩタイプのＣＳＩリポートをＲＡＮノード３に送ることＳ１４も含む。
【００９３】
本開示の実施形態の項目別のリストが以下に続く。
【００９４】
１  無線デバイス６にデータを送信するために複数の送信アンテナポート５が設けられたＲＡＮノード３を備える通信システムにおけるＣＳＩフィードバックの方法であって、
フィードバックのために、第１のＣＳＩタイプ、および第２のＣＳＩタイプについての情報を、ＲＡＮノード３によって無線デバイス６に送ることと、
第１のＣＳＩタイプまたは第２のＣＳＩタイプのＣＳＩ測定およびフィードバックに対するＣＳＩフィードバック要求を、ＲＡＮノード３によって無線デバイス６に、たとえば動的に送ることと、
ＣＳＩ−ＲＳリソース上で受け取った信号に基づいて示されたタイプのＣＳＩを無線デバイス６によって測定することと、
要求したＣＳＩタイプのＣＳＩリポートを、ＲＡＮノード３によって無線デバイス６から受け取ることと
を含む、方法。
【００９５】
２  無線デバイス６にデータを送信するために複数の送信アンテナポート５が設けられたＲＡＮノード３を備える通信システム１におけるＣＳＩフィードバックのためのＲＡＮノード３により実施される方法であって、
フィードバックのために、第１のＣＳＩタイプおよび第２のＣＳＩタイプについての情報を無線デバイス６に送ることＳ１と、
第１のＣＳＩタイプまたは第２のＣＳＩタイプのＣＳＩ測定およびフィードバックに対するＣＳＩフィードバック要求を、無線デバイス６に、たとえば動的に送ることＳ２と、
要求したＣＳＩタイプのＣＳＩリポートを、無線デバイス６から受け取ることＳ３と
を含む、方法。
【００９６】
３  ＲＡＮノード３を備える通信システム１におけるＣＳＩフィードバックのための無線デバイス６により実施される方法であって、
フィードバックのために、第１のＣＳＩタイプおよび第２のＣＳＩタイプについての情報を、ＲＡＮノード３から受け取ることＳ１１と、
第１のＣＳＩタイプまたは第２のＣＳＩタイプのＣＳＩ測定およびフィードバックに対するＣＳＩフィードバック要求を、ＲＡＮノード３から、たとえば動的に受け取ることＳ１２と、
ＣＳＩ−ＲＳリソース上で受け取った信号に基づいて示されたタイプのＣＳＩを測定することＳ１３と、
要求したＣＳＩタイプのＣＳＩリポートを、ＲＡＮノード３に送ることＳ１４と
を含む、方法。
【００９７】
４  情報が、ＲＡＮノードで使用される送信アンテナポートレイアウトについて、および／またはＣＳＩ−ＲＳ信号が送信されるべきＣＳＩ−ＲＳリソース（たとえば、ＮＺＰ  ＣＳＩ−ＲＳリソース）についての情報も含む、任意の上記の項目の方法。
【００９８】
５  第２のＣＳＩタイプが第１のＣＳＩタイプと異なる、たとえばより高いチャネル解像度を有する、任意の上記の項目の方法。
【００９９】
６  第１のＣＳＩタイプがＬＴＥリリース１３クラスＡコードブックに基づく、任意の上記の項目の方法。
【０１００】
７  第２のＣＳＩタイプが拡張コードブックに基づく拡張ＣＳＩである、任意の上記の項目の方法。
【０１０１】
８  第２のＣＳＩタイプが、推定されたチャネルの明示的な量子化に基づく拡張ＣＳＩである、任意の上記の項目の方法。
【０１０２】
９  第１のＣＳＩタイプと第２のＣＳＩタイプが、同じＣＳＩプロセスで、または２つの異なるＣＳＩプロセスで設定される、任意の上記の項目の方法。
【０１０３】
１０  ＣＳＩフィードバック要求が、ＣＳＩ測定要求およびＣＳＩリポート要求を備える、またはＣＳＩ測定要求およびＣＳＩリポート要求からなる、任意の上記の項目の方法。
【０１０４】
１１  ＣＳＩ測定要求がＣＳＩリポート要求の前に送信される、項目１０の方法。
【０１０５】
１２  ＣＳＩフィードバック要求が、ＣＳＩタイプインジケータを含む、任意の上記の項目の方法。
【０１０６】
１３  無線デバイス６がＭＵ−ＭＩＭＯ送信の候補であると、たとえば、ＲＡＮノード３によって決定されるときにだけ、第２のＣＳＩタイプについてのＣＳＩフィードバック要求が送られる／受け取られる、任意の上記の項目の方法。
【０１０７】
１４  コンピュータ実行可能構成要素が、デバイスに含まれるプロセッサ回路３１および／または６１上で実行されるとき、通信システム１、ＲＡＮノード３、および／または無線デバイス６などのデバイスに任意の上記の項目の方法を実施させるためのコンピュータ実行可能構成要素１５１を備える、コンピュータプログラム製品１５０。
【０１０８】
１５  プロセッサ回路３１および６１と、
前記プロセッサ回路によって実行可能な命令１５１を記憶する記憶装置３２および６２と
を備え、
フィードバックのために、第１のＣＳＩタイプおよび第２のＣＳＩタイプについての情報を、通信システムに含まれるＲＡＮノード３によって通信システムに含まれる無線デバイス６に送り、
第１のＣＳＩタイプまたは第２のＣＳＩタイプのＣＳＩ測定およびフィードバックに対するＣＳＩフィードバック要求を、ＲＡＮノード３によって無線デバイス６に、たとえば動的に送り、
ＣＳＩ−ＲＳリソース上で受け取った信号に基づいて示されたタイプのＣＳＩを、無線デバイス６によって測定し、
要求したＣＳＩタイプのＣＳＩリポートを、ＲＡＮノード３によって無線デバイス６から受け取る
ように動作可能な、通信システム１。
【０１０９】
通信システム１は、本明細書に議論される通信システムで実施される方法の任意の実施形態／項目を実施するように設定することができる。
【０１１０】
１６  無線デバイス６にデータを送信するために複数の送信アンテナポート５が設けられたＲＡＮノード３を備える通信システム１におけるＣＳＩフィードバックのためのＲＡＮノード３であって、
プロセッサ回路３１と、
前記プロセッサ回路によって実行可能な命令１５１を記憶する記憶装置３２と
を備え、それによって、
フィードバックのために、第１のＣＳＩタイプおよび第２のＣＳＩタイプについての情報を無線デバイス６に送り、
第１のＣＳＩタイプまたは第２のＣＳＩタイプのＣＳＩ測定およびフィードバックに対するＣＳＩフィードバック要求を、無線デバイス６に、たとえば動的に送り、
要求したＣＳＩタイプのＣＳＩリポートを無線デバイス６から受け取る
ように動作可能である、ＲＡＮノード３。
【０１１１】
ＲＡＮノード３は、本明細書に議論されるＲＡＮノードによって実施される方法の任意の実施形態／項目を実施するように設定することができる。
【０１１２】
１７  ＲＡＮノード３を備える通信システム１におけるＣＳＩフィードバックのための無線デバイス６であって、
プロセッサ回路６１と、
前記プロセッサ回路によって実行可能な命令１５１を記憶する記憶装置６２と
を備え、それによって、
フィードバックのために、第１のＣＳＩタイプおよび第２のＣＳＩタイプについての情報を、ＲＡＮノード３から受け取り、
第１のＣＳＩタイプまたは第２のＣＳＩタイプのＣＳＩ測定およびフィードバックに対するＣＳＩフィードバック要求を、ＲＡＮノード３から、たとえば動的に受け取り、
ＣＳＩ−ＲＳリソース上で受け取った信号に基づいて示されたタイプのＣＳＩを測定し、
要求したＣＳＩタイプのＣＳＩリポートを、ＲＡＮノード３に送る
ように動作可能である、無線デバイス６。
【０１１３】
無線デバイス６は、本明細書に議論される無線デバイスによって実施される方法の任意の実施形態／項目を実施するように設定することができる。
【０１１４】
１８  無線デバイス６にデータを送信するために複数の送信アンテナポート５が設けられたＲＡＮノード３を備える通信システム１におけるＣＳＩフィードバックのためのコンピュータプログラム１５１であって、通信システムのプロセッサ回路３１および／または６１上で実行されると、通信システムに、
フィードバックのために、第１のＣＳＩタイプおよび第２のＣＳＩタイプについての情報を、通信システムに含まれるＲＡＮノード３によって通信システムに含まれる無線デバイス６へ送らせること、
第１のＣＳＩタイプまたは第２のＣＳＩタイプのＣＳＩ測定およびフィードバックに対するＣＳＩフィードバック要求を、ＲＡＮノード３によって無線デバイス６へ、たとえば動的に送らせること、
ＣＳＩ−ＲＳリソース上で受け取った信号に基づいて示されたタイプのＣＳＩを、無線デバイス６によって測定させること、
要求したＣＳＩタイプのＣＳＩリポートを、ＲＡＮノード３によって無線デバイス６から受け取らせること
が可能なコンピュータプログラムコードを備える、コンピュータプログラム。
【０１１５】
１９  無線デバイス６にデータを送信するために複数の送信アンテナポート５が設けられたＲＡＮノード３を備える通信システム１におけるＣＳＩフィードバックのためのコンピュータプログラム１５１であって、ＲＡＮノードのプロセッサ回路３１上で実行されると、ＲＡＮノードに、
フィードバックのために、第１のＣＳＩタイプおよび第２のＣＳＩタイプについての情報を無線デバイス６に送らせることＳ１と、
第１のＣＳＩタイプまたは第２のＣＳＩタイプのＣＳＩ測定およびフィードバックに対するＣＳＩフィードバック要求を、無線デバイス６へ、たとえば動的に送らせることＳ２と、
要求したＣＳＩタイプのＣＳＩリポートを無線デバイス６から受け取らせることＳ３と
が可能なコンピュータプログラムコードを備える、コンピュータプログラム。
【０１１６】
２０  無線デバイス６にデータを送信するために複数の送信アンテナポート５が設けられたＲＡＮノード３を備える通信システム１におけるＣＳＩフィードバックのためのコンピュータプログラム１５１であって、無線デバイスのプロセッサ回路６１上で実行されると、無線デバイスに、
フィードバックのために、第１のＣＳＩタイプおよび第２のＣＳＩタイプについての情報を、ＲＡＮノード３から受け取らせることＳ１１と、
第１のＣＳＩタイプまたは第２のＣＳＩタイプのＣＳＩ測定およびフィードバックに対するＣＳＩフィードバック要求を、ＲＡＮノード３から、たとえば動的に受け取らせることＳ１２と、
ＣＳＩ−ＲＳリソース上で受け取った信号に基づいて示されたタイプのＣＳＩを測定させることＳ１３と、
要求したＣＳＩタイプのＣＳＩリポートを、ＲＡＮノード３へ送らせることＳ１４と
が可能なコンピュータプログラムコードを備える、コンピュータプログラム。
【０１１７】
２１  任意の項目１８〜２０にしたがったコンピュータプログラム１５１と、コンピュータプログラムが記憶されるコンピュータ可読手段１５２とを備える、コンピュータプログラム製品１５０。
【０１１８】
上記の記載および関連する図面に提示される教示の利益を有する当業者には、記載された項目または実施形態の修正形態および他の変更形態が想到されるであろう。したがって、実施形態が開示された特定の例に限定されず、修正形態および他の変形形態が本開示の範囲内に含まれると意図されることを理解されたい。具体的な用語が本明細書で採用される場合があるが、それらは、一般的で記述的な意味でのみ使用され、限定する目的ではない。
【０１１９】
通信システム１は、本明細書に議論された通信システムで実施される方法の任意の実施形態を実施するために設定することができる。
【０１２０】
ＲＡＮノード３は、本明細書に議論されるＲＡＮノードによって実施される方法の任意の実施形態を実施するために設定することができる。
【０１２１】
無線デバイス６は、本明細書に議論される無線デバイスによって実施される方法の任意の実施形態を実施するために設定することができる。
【０１２２】
本開示は、主に、いくつかの実施形態を参照して、上で記載してきた。しかし、当業者には容易に理解されるように、添付される請求項に規定されるように、上で開示されたもの以外の実施形態が本開示の範囲内で等しく可能である。
【図１】
2019520732.tif 000014
【図２】
2019520732.tif 000015
【図３】
2019520732.tif 000016
【図４】
2019520732.tif 000017
【図５】
2019520732.tif 000018
【図６】
2019520732.tif 000019
【図７】
2019520732.tif 000020
【図８】
2019520732.tif 000021
【図９】
2019520732.tif 000022
【図１０】
2019520732.tif 000023
【図１１】
2019520732.tif 000024
【図１２】
2019520732.tif 000025
【図１３ａ】
2019520732.tif 000026
【図１３ｂ】
2019520732.tif 000027
【図１４ａ】
2019520732.tif 000028
【図１４ｂ】
2019520732.tif 000029
【図１５】
2019520732.tif 000030
【図１６】
2019520732.tif 000031
【図１７】
2019520732.tif 000032
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
無線アクセスネットワーク（ＲＡＮ）ノード（３）を備える通信システム（１）におけるチャネル状態情報（ＣＳＩ）フィードバックのための無線デバイス（６）により実施される方法であって、
ＣＳＩ−ＲＳリソースに基づくフィードバックのために、チャネル状態情報参照信号（ＣＳＩ−ＲＳ）リソース、第１のＣＳＩタイプ、および第２のＣＳＩタイプについての情報を、前記ＲＡＮノード（３）から受け取ること（Ｓ１１）と、
前記第１のＣＳＩタイプまたは前記第２のＣＳＩタイプのＣＳＩ測定およびフィードバックに対するＣＳＩフィードバック要求を、前記ＲＡＮノード（３）から受け取ること（Ｓ１２）と、
前記ＣＳＩ−ＲＳリソースにおいて受け取った信号に基づいて前記示されたタイプのＣＳＩを測定すること（Ｓ１３）と、
前記要求されたＣＳＩタイプのＣＳＩリポートを、前記ＲＡＮノード（３）に送ること（Ｓ１４）と
を含む、方法。
【請求項２】
前記ＣＳＩフィードバック要求が動的に受け取られる（Ｓ１２）、請求項１に記載の方法。
【請求項３】
前記情報が、前記ＲＡＮノードで使用される送信アンテナポートレイアウトについての情報も含む、請求項１または２に記載の方法。
【請求項４】
前記情報が前記第１のＣＳＩタイプについての第１のコードブックおよび前記第２のＣＳＩタイプについての第２のコードブックについての情報も含む、請求項３に記載の方法。
【請求項５】
前記第１のコードブックと前記第２のコードブックが両方とも同じアンテナポートレイアウトに関連付けられる、請求項４に記載の方法。
【請求項６】
前記情報が、干渉が測定されるべきゼロ電力（ＺＰ）ＣＳＩ−ＲＳリソースについての情報をさらに含む、請求項１から５のいずれか一項に記載の方法。
【請求項７】
前記情報が、無線リソース制御（ＲＲＣ）を介してなど、半静的に受け取られる、請求項１から６のいずれか一項に記載の方法。
【請求項８】
前記第２のＣＳＩタイプが前記第１のＣＳＩタイプより高いチャネル解像度を有する、請求項１から７のいずれか一項に記載の方法。
【請求項９】
前記第１のＣＳＩタイプが前記第１のコードブックに基づき、前記第２のＣＳＩタイプが前記第２のコードブックに基づく、請求項１から８のいずれか一項に記載の方法。
【請求項１０】
前記第２のコードブックが、前記第１のコードブックに対しての拡張コードブックである、請求項９に記載の方法。
【請求項１１】
前記第２のコードブックが、前記第１のコードブックよりも豊富なチャネル状態情報を提供する、請求項９に記載の方法。
【請求項１２】
前記第２のＣＳＩタイプが、推定されるチャネルの明示的な量子化に基づく拡張ＣＳＩである、請求項１から９のいずれか一項に記載の方法。
【請求項１３】
前記第１のＣＳＩタイプと第２のＣＳＩタイプが、同じＣＳＩプロセスでまたは２つの異なるＣＳＩプロセスで設定される、請求項１から１２のいずれか一項に記載の方法。
【請求項１４】
前記２つのＣＳＩプロセスが同じＣＳＩ−ＲＳリソース設定を有する、請求項１３に記載の方法。
【請求項１５】
前記ＣＳＩ−ＲＳが、前記ＣＳＩフィードバック要求と同じサブフレームで送信される、請求項１から１４のいずれか一項に記載の方法。
【請求項１６】
前記ＣＳＩフィードバック要求が、サブフレーム中の前記ＣＳＩ−ＲＳの存在を示すＣＳＩ測定要求およびＣＳＩリポート要求を含む、請求項１から１５のいずれか一項に記載の方法。
【請求項１７】
前記ＣＳＩ測定要求が前記ＣＳＩリポート要求の前に送信される、請求項１６に記載の方法。
【請求項１８】
前記ＣＳＩフィードバック要求がＣＳＩタイプインジケータを含む、請求項１から１７のいずれか一項に記載の方法。
【請求項１９】
前記ＣＳＩフィードバック要求がＣＳＩタイプインジケータと前記ＣＳＩ−ＲＳリソースについての情報の両方を含む、請求項１から１８のいずれか一項に記載の方法。
【請求項２０】
通信システム（１）において無線デバイス（６）にデータを送信するため、および前記無線デバイス（６）からチャネル状態情報（ＣＳＩ）フィードバックを受け取るために複数の送信アンテナポート（５）を装備する無線アクセスネットワーク（ＲＡＮ）ノード（３）によって実施される方法であって、
ＣＳＩ−ＲＳリソースに基づくフィードバックのために、ＣＳＩ参照信号（ＣＳＩ−ＲＳ）リソース、第１のＣＳＩタイプおよび第２のＣＳＩタイプについての情報を前記無線デバイス（６）に送ること（Ｓ１）と、
前記第１のＣＳＩタイプまたは前記第２のＣＳＩタイプのＣＳＩ測定およびフィードバックに対するＣＳＩフィードバック要求を、前記無線デバイス（６）に送ること（Ｓ２）と、
前記ＣＳＩ−ＲＳリソースにおいて少なくとも１つのＣＳＩ−ＲＳ信号を送信することと、
前記要求したＣＳＩタイプのＣＳＩリポートを前記無線デバイス（６）から受け取ること（Ｓ３）と
を含む、方法。
【請求項２１】
無線アクセスネットワーク（ＲＡＮ）ノード（３）を備える通信システム（１）におけるチャネル状態情報（ＣＳＩ）フィードバックのための無線デバイス（６）であって、
プロセッサ回路（６１）と、
前記プロセッサ回路によって実行可能な命令（１５１）を記憶する記憶装置（６２）と
を備え、それによって、
ＣＳＩ−ＲＳリソースに基づくフィードバックのために、チャネル状態情報参照信号（ＣＳＩ−ＲＳ）リソース、第１のＣＳＩタイプ、および第２のＣＳＩタイプについての情報を、前記ＲＡＮノード（３）から受け取り、
前記第１のＣＳＩタイプまたは前記第２のＣＳＩタイプのＣＳＩ測定およびフィードバックに対するＣＳＩフィードバック要求を、前記ＲＡＮノード（３）から受け取り、
前記ＣＳＩ−ＲＳリソースにおいて受け取った信号に基づいて前記示されたタイプのＣＳＩを測定し、
前記要求されたＣＳＩタイプのＣＳＩリポートを、前記ＲＡＮノード（３）に送る
ように動作可能である、無線デバイス（６）。
【請求項２２】
無線デバイス（６）にデータを送信するために複数の送信アンテナポート（５）を装備する無線アクセスネットワーク（ＲＡＮ）ノード（３）を備える通信システム（１）におけるチャネル状態情報（ＣＳＩ）フィードバックのためのＲＡＮノード（３）であって、
プロセッサ回路（３１）と、
前記プロセッサ回路によって実行可能な命令（１５１）を記憶する記憶装置（３２）と
を備え、それによって、
ＣＳＩ−ＲＳリソースに基づくフィードバックのために、チャネル状態情報参照信号（ＣＳＩ−ＲＳ）リソース、第１のＣＳＩタイプおよび第２のＣＳＩタイプについての情報を前記無線デバイス（６）に送り、
前記第１のＣＳＩタイプまたは前記第２のＣＳＩタイプのＣＳＩ測定およびフィードバックに対するＣＳＩフィードバック要求を、前記無線デバイス（６）に送り、
前記ＣＳＩ−ＲＳリソースにおいて少なくとも１つのＣＳＩ−ＲＳ信号を送信し、
前記要求したＣＳＩタイプのＣＳＩリポートを前記無線デバイス（６）から受け取る
ように動作可能である、ＲＡＮノード（３）。
【国際調査報告】
2019520732.tif 000033
2019520732.tif 000034
2019520732.tif 000035